(57)【特許請求の範囲】
【請求項１】
電源部と、複数の光源ユニットとを有し、
前記電源部は、第１出力端子及び第２出力端子から直流電力を出力し、かつ、前記直流電力を、第１電力値と、前記第１電力値よりも小さい第２電力値とに周期的に切り換えるように構成され、
前記複数の光源ユニットは、前記第１出力端子と前記第２出力端子との間に電気的に接続されており、
前記複数の光源ユニットはそれぞれ、１つ又は複数の固体発光素子と、前記１つ又は複数の固体発光素子に対する前記直流電力の供給を入切するスイッチと、前記スイッチの入切を制御するスイッチ制御部とを備えており、
前記複数の光源ユニットが一対一に備える複数の前記スイッチ制御部はそれぞれ、前記第１電力値の直流電力が供給されている第１期間において、前記複数の光源ユニットが一対一に備える複数の前記固体発光素子のうちで自己の固体発光素子を含む１つ以上の前記固体発光素子の状態を検知し、前記第２電力値の直流電力が供給されている第２期間において、直前の前記第１期間における、前記１つ以上の固体発光素子の状態の検知結果に応じて、前記自己が入切するスイッチの状態を維持及び反転するように構成されている点灯装置。
【請求項２】
前記電源部は、前記第２期間を延長するように構成され、
前記複数のスイッチ制御部はそれぞれ、前記延長された第２期間が終了した時点で、前記検知結果に関わらず、前記自己が入切するスイッチの状態を所定の初期状態とするように構成されている請求項１記載の点灯装置。
【請求項３】
前記電源部は、前記直流電力を前記第１電力値と前記第２電力値とに切り換えて出力する周期よりも長い周期で前記第２期間を延長するように構成されている請求項２記載の点灯装置。
【請求項４】
前記複数のスイッチ制御部はそれぞれ、前記延長された第２期間の時間長を所定のしきい値と比較し、前記延長された第２期間の時間長が前記しきい値を超える場合に、前記自己が入切するスイッチの状態を所定の初期状態とするように構成されており、
前記しきい値は、第１のしきい値と、前記第１のしきい値と異なる第２のしきい値とを少なくとも含み、
前記複数のスイッチ制御部はそれぞれ、前記延長された第２期間の時間長を、前記第１のしきい値又は前記第２のしきい値のいずれかと比較するように構成されている請求項２又は３記載の点灯装置。
【請求項５】
前記複数の光源ユニットは、前記第１出力端子と前記第２出力端子との間に電気的に直列に接続されている請求項１〜４のいずれか１項に記載の点灯装置。
【請求項６】
前記複数の光源ユニットは、前記第１出力端子と前記第２出力端子との間に電気的に並列に接続されている請求項１〜４のいずれか１項に記載の点灯装置。
【請求項７】
前記電源部は、前記第２電力値をゼロとするように構成されている請求項１〜６のいずれか１項に記載の点灯装置。
【請求項８】
請求項１〜７のいずれか１項の点灯装置と、前記点灯装置が搭載される車体とを有する車両。
【発明の詳細な説明】
【技術分野】
【０００１】
本発明は、点灯装置、及び当該点灯装置を備えた車両に関する。
【背景技術】
【０００２】
従来例として、特許文献１記載の点灯装置を例示する。特許文献１記載の点灯装置は、直列接続された複数のＬＥＤ（発光ダイオード）を点灯する。複数のＬＥＤのそれぞれに、複数のスイッチ回路が一対一に対応付けて電気的に並列接続されている。点灯装置は、複数のＬＥＤに直流電力を供給する昇降圧コンバータ回路を備えている。また、点灯装置は、複数のスイッチ回路をそれぞれ個別に開閉するマイコン制御部を備えている。つまり、マイコン制御部がスイッチ回路を閉成すれば、スイッチ回路と並列に接続されているＬＥＤのアノード・カソード間をスイッチ回路で短絡してＬＥＤを消灯することができる。また、マイコン制御部がスイッチ回路を開成すれば、ＬＥＤのアノード・カソード間を開放してＬＥＤを点灯することができる。
【先行技術文献】
【特許文献】
【０００３】
【特許文献１】特開２０１４−１７０８８０号公報
【発明の概要】
【発明が解決しようとする課題】
【０００４】
ところで、特許文献１記載の点灯装置は、スイッチ回路とマイコン制御部を接続する配線がスイッチ回路と同じ数だけ必要である。一方、配線数の増加はコストアップを招くとともに、断線などの故障の発生率が高くなる。そのため、省配線化を図るには、特許文献１記載の点灯装置の構成では十分ではなかった。
【０００５】
本発明の目的は、省配線化を図ることができる点灯装置及び車両を提供することである。
【課題を解決するための手段】
【０００６】
本発明の一態様に係る点灯装置は、電源部と、複数の光源ユニットとを有している。前記電源部は、第１出力端子及び第２出力端子から直流電力を出力し、かつ、前記直流電力を、第１電力値と、前記第１電力値よりも小さい第２電力値とに周期的に切り換えるように構成されている。前記複数の光源ユニットは、前記第１出力端子と前記第２出力端子との間に電気的に接続されている。前記複数の光源ユニットはそれぞれ、１つ又は複数の固体発光素子と、前記１つ又は複数の固体発光素子に対する前記直流電力の供給を入切するスイッチと、前記スイッチの入切を制御するスイッチ制御部とを備えている。前記複数の光源ユニットが一対一に備える複数の前記スイッチ制御部はそれぞれ、次のように構成されている。すなわち、複数の前記スイッチ制御部はそれぞれ、第１期間において、１つ以上の前記固体発光素子の状態を検知するように構成されている。前記２つの固体発光素子は、前記複数の光源ユニットが一対一に備える前記複数の固体発光素子のうちで、前記複数の光源ユニットがそれぞれ備えている自己の固体発光素子を含んでいる。前記第１期間は、前記第１電力値の直流電力が供給されている期間である。また、複数の前記スイッチ制御部はそれぞれ、第２期間において、直前の前記第１期間における、前記１つ以上の固体発光素子の状態の検知結果に応じて、自己が入切する前記スイッチの状態を維持及び反転するように構成されている。前記第２期間は、前記第２電力値の直流電力が供給されている期間である。
【０００７】
本発明の一態様に係る車両は、前記点灯装置と、前記点灯装置が搭載される車体とを有する。
【発明の効果】
【０００８】
本発明の点灯装置及び車両は、省配線化を図ることができるという効果がある。
【図面の簡単な説明】
【０００９】
【図１】図１は、本発明の実施形態１に係る点灯装置の回路構成図である。
【図２】図２は、同上の点灯装置の動作説明用のタイムチャートである。
【図３】図３は、本発明の実施形態２に係る点灯装置の回路構成図である。
【図４】図４は、本発明の実施形態３に係る点灯装置の回路構成図である。
【図５】図５は、同上の実施形態３に係る点灯装置の動作説明用のタイムチャートである。
【図６】図６は、本発明の一実施形態に係る車両の斜視図である。
【発明を実施するための形態】
【００１０】
以下、本発明の実施形態に係る点灯装置及び車両について、図面を参照して詳細に説明する。以下の実施形態に係る点灯装置は、より詳細には、複数の光源の点灯状態を所定の順序で切り換えるように構成された点灯装置である。また、以下の実施形態に係る車両は、より詳細には、実施形態に係る点灯装置が搭載された車体を有する車両である。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１１】
（実施形態１）
本発明の実施形態１に係る点灯装置１Ｘ（以下、点灯装置１Ｘと略す）は、図１に示すように、電源部２と、複数（図示例では５つ）の光源ユニットとを有している。なお、以下の説明では、５つの光源ユニットを第１光源ユニット３Ａ、第２光源ユニット３Ｂ、第３光源ユニット３Ｃ、第４光源ユニット３Ｄ及び第５光源ユニット３Ｅと呼ぶ。
【００１２】
電源部２は、第１出力端子２０と、第２出力端子２１とを有している。電源部２は、直流電源１０から入力される直流電力を所望の直流電力に変換して第１出力端子２０及び第２出力端子２１から出力する。直流電源１０は、例えば、車載用の蓄電池（バッテリ）である。電源部２は、正極となる第１出力端子２０から、負極となる第２出力端子２１に向かう向きに直流の出力電流Ｉｏを出力する。電源部２は、例えば、スイッチング電源回路で構成されることが好ましい。電源部２は、ＰＷＭ（パルス幅変調）制御によって出力電流Ｉｏを調整可能に構成されている。なお、電源部２は、スイッチング電源回路から第１出力端子２０への電路を開閉する出力スイッチ２２を有することが好ましい。電源部２は、出力スイッチ２２を閉じることで第１出力端子２０から出力電流Ｉｏを出力し、出力スイッチ２２を開くことで出力電流Ｉｏの出力を停止するように構成されている。ただし、電源部２は、出力スイッチ２２を開閉する代わりに、スイッチング電源回路の動作と停止を切り換えることによって、出力電流Ｉｏの出力と停止を切り換えるように構成されても構わない。
【００１３】
５つの光源ユニット３Ａ〜３Ｅのうち、第１光源ユニット３Ａを除く４つの光源ユニット３Ｂ〜３Ｅは全く共通の構成を有している。また、第１光源ユニット３Ａは、一部の構成を除いて、他の４つの光源ユニット３Ｂ〜３Ｅと共通の構成を有している。
【００１４】
第１光源ユニット３Ａは、電源部２の第１出力端子２０と直接かつ電気的に接続されている。第１光源ユニット３Ａは、固体発光素子である第１ＬＥＤ（発光ダイオード）３０Ａと、第１スイッチ３１Ａと、第１スイッチ制御部３２Ａとを備えている。第１ＬＥＤ３０Ａのアノードと第１スイッチ３１Ａの一端が電源部２の第１出力端子２０と電気的に接続されている。また、第１ＬＥＤ３０Ａのカソードと第１スイッチ３１Ａの他端とが電気的に接続されている。つまり、第１ＬＥＤ３０Ａと第１スイッチ３１Ａとは、電気的に並列接続されている。したがって、第１ＬＥＤ３０Ａは、第１スイッチ３１Ａがオフしているときに出力電流Ｉｏが流れて発光（点灯）し、第１スイッチ３１Ａがオンしているときは出力電流Ｉｏが第１スイッチ３１Ａに流れるために発光（点灯）しない。ゆえに、第１ＬＥＤ３０Ａの点灯状態（点灯と消灯）は、第１スイッチ３１Ａのオン・オフによって切り換えられる。なお、第１スイッチ３１Ａは、電界効果トランジスタなどの半導体スイッチング素子で構成されることが好ましい。
【００１５】
第１スイッチ制御部３２Ａは、第１駆動回路３２０Ａ、第１保持部３２１Ａ、第１判定部３２２Ａ、第１インバータ３２３Ａ、第１タイマ３２４Ａなどを有することが好ましい。第１駆動回路３２０Ａは、例えば、セット・リセット端子付きのＤフリップフロップ回路であることが好ましい。第１駆動回路３２０Ａは、出力端子Ｑの電圧（出力電圧）をハイレベルとすることで第１スイッチ３１Ａをオンし、出力電圧をローレベルとすることで第１スイッチ３１Ａをオフする。第１判定部３２２Ａは、第１ＬＥＤ３０Ａの状態（点灯及び消灯）を判定する。第１判定部３２２Ａは、例えば、第１ＬＥＤ３０Ａの両端電圧、第１ＬＥＤ３０Ａに流れる電流あるいは第１ＬＥＤ３０Ａの光量を検出することで第１ＬＥＤ３０Ａの状態を判定することが好ましい。ただし、第１判定部３２２Ａは、第１スイッチ３１Ａの状態（オン、オフ）を検知することによって第１ＬＥＤ３０Ａの状態を間接的に判定してもよい。第１判定部３２２Ａは、第１ＬＥＤ３０Ａが点灯しているときに出力をハイレベルとし、第１ＬＥＤ３０Ａが消灯しているときに出力をローレベルとするように構成されている。第１判定部３２２Ａの出力は、第１保持部３２１Ａによって保持される。第１保持部３２１Ａは、第１判定部３２２Ａの出力がハイレベルからローレベル及びローレベルからハイレベルに切り換わった後も、切り換わる直前の出力状態を保持するように構成されている。第１保持部３２１Ａの出力は、第１駆動回路３２０Ａの入力端子Ｄに入力される。
【００１６】
第１駆動回路３２０Ａのクロック端子ＣＫが第１インバータ３２３Ａの出力端子と電気的に接続されている。第１インバータ３２３Ａは、第１光源ユニット３Ａに出力電流Ｉｏが流れているときに出力をローレベルとし、出力電流Ｉｏが流れていないときに出力をハイレベルとする。つまり、電源部２の出力スイッチ２２がオフして出力電流Ｉｏがゼロになる時点で、第１駆動回路３２０Ａのクロック端子ＣＫの入力電圧がハイレベルに立ち上がる。
【００１７】
第１タイマ３２４Ａは、電源部２の出力スイッチ２２がオフして出力電流Ｉｏがゼロになった時点を起点とする経過時間をカウントする。さらに、第１タイマ３２４Ａは、経過時間が所定のしきい値Ｔｗに達すると、第１駆動回路３２０Ａのリセット端子Ｒの入力電圧をハイレベルに立ち上げる。
【００１８】
第１駆動回路３２０Ａは、クロック端子ＣＫの入力電圧がハイレベルに立ち上がった時点で、入力端子Ｄの入力電圧がハイレベルであれば出力電圧をハイレベルとし、入力電圧がローレベルであれば出力電圧をローレベルとする。さらに、第１駆動回路３２０Ａは、リセット端子Ｒの入力電圧がハイレベルに立ち上がった時点で出力電圧をローレベルとする。
【００１９】
第２光源ユニット３Ｂは、固体発光素子である第２ＬＥＤ（発光ダイオード）３０Ｂと、第２スイッチ３１Ｂと、第２スイッチ制御部３２Ｂとを備えている。第２ＬＥＤ３０Ｂは、第１ＬＥＤ３０Ａと電気的に直列接続されている。第２スイッチ３１Ｂは、第２ＬＥＤ３０Ｂと電気的に並列接続されている。したがって、第２ＬＥＤ３０Ｂは、第２スイッチ３１Ｂがオフしているときに出力電流Ｉｏが流れて発光（点灯）し、第２スイッチ３１Ｂがオンしているときは出力電流Ｉｏが第２スイッチ３１Ｂに流れるために発光（点灯）しない。ゆえに、第２ＬＥＤ３０Ｂの点灯状態（点灯と消灯）は、第２スイッチ３１Ｂのオン・オフによって切り換えられる。なお、第２スイッチ３１Ｂは、電界効果トランジスタなどの半導体スイッチング素子で構成されることが好ましい。
【００２０】
第２スイッチ制御部３２Ｂは、第２駆動回路３２０Ｂ、第２保持部３２１Ｂ、第２判定部３２２Ｂ、第２インバータ３２３Ｂ、第２タイマ３２４Ｂなどを有することが好ましい。第２駆動回路３２０Ｂは、例えば、セット・リセット端子付きのＤフリップフロップ回路であることが好ましい。第２駆動回路３２０Ｂは、出力端子Ｑの電圧（出力電圧）をハイレベルとすることで第２スイッチ３１Ｂをオンし、出力電圧をローレベルとすることで第２スイッチ３１Ｂをオフする。
【００２１】
第２判定部３２２Ｂは、第１ＬＥＤ３０Ａの状態と第２ＬＥＤ３０Ｂの状態を検知し、それぞれの検知結果の論理演算を行うことが好ましい。第２判定部３２２Ｂは、ノットゲートとオアゲートで構成されることが好ましい。ノットゲートの入力電圧は、第１ＬＥＤ３０Ａが点灯している場合にハイレベルとなり、第１ＬＥＤ３０Ａが消灯している場合にローレベルとなる。オアゲートは、ノットゲートの出力と第２ＬＥＤ３０Ｂの状態の論理和を演算する。つまり、第２判定部３２２Ｂの出力（オアゲートの出力）は、第２ＬＥＤ３０Ｂが点灯している場合、及び第１ＬＥＤ３０Ａが消灯している場合にハイレベルとなる。また、第２判定部３２２Ｂの出力（オアゲートの出力）は、第２ＬＥＤ３０Ｂが消灯し、かつ、第１ＬＥＤ３０Ａが点灯している場合にローレベルとなる。第２判定部３２２Ｂの出力は、第２保持部３２１Ｂによって保持される。
【００２２】
第２保持部３２１Ｂは、第２判定部３２２Ｂの出力がハイレベルからローレベル及びローレベルからハイレベルに切り換わった後も、切り換わる直前の出力状態を保持するように構成されている。第２保持部３２１Ｂの出力は、第２駆動回路３２０Ｂの入力端子Ｄに入力される。
【００２３】
第２駆動回路３２０Ｂのクロック端子ＣＫが第２インバータ３２３Ｂの出力端子と電気的に接続されている。第２インバータ３２３Ｂは、第２光源ユニット３Ｂに出力電流Ｉｏが流れているときに出力をローレベルとし、出力電流Ｉｏが流れていないときに出力をハイレベルとする。つまり、電源部２の出力スイッチ２２がオフして出力電流Ｉｏがゼロになる時点で、第２駆動回路３２０Ｂのクロック端子ＣＫの入力電圧がハイレベルに立ち上がる。
【００２４】
第２タイマ３２４Ｂは、電源部２の出力スイッチ２２がオフして出力電流Ｉｏがゼロになった時点を起点とする経過時間をカウントする。さらに、第２タイマ３２４Ｂは、経過時間がしきい値Ｔｗに達すると、第２駆動回路３２０Ｂのセット端子Ｓの入力電圧をハイレベルに立ち上げる。
【００２５】
第２駆動回路３２０Ｂは、クロック端子ＣＫの入力電圧がハイレベルに立ち上がった時点で、入力端子Ｄの入力電圧がハイレベルであれば出力電圧をハイレベルとし、入力電圧がローレベルであれば出力電圧をローレベルとする。さらに、第２駆動回路３２０Ｂは、セット端子Ｓの入力電圧がハイレベルに立ち上がった時点で出力電圧をハイレベルとする。
【００２６】
第３光源ユニット３Ｃは、固体発光素子である第３ＬＥＤ（発光ダイオード）３０Ｃと、第３スイッチ３１Ｃと、第３スイッチ制御部３２Ｃとを備えている。また、第４光源ユニット３Ｄは、固体発光素子である第４ＬＥＤ（発光ダイオード）３０Ｄと、第４スイッチ３１Ｄと、第４スイッチ制御部３２Ｄとを備えている。さらに、第５光源ユニット３Ｅは、固体発光素子である第５ＬＥＤ（発光ダイオード）３０Ｅと、第５スイッチ３１Ｅと、第５スイッチ制御部３２Ｅとを備えている。第３ＬＥＤ３０Ｃ、第４ＬＥＤ３０Ｄ及び第５ＬＥＤ３０Ｅは、第１ＬＥＤ３０Ａ及び第２ＬＥＤ３０Ｂと電気的に直列接続されている。また、第５ＬＥＤ３０Ｅのカソードが電源部２の第２出力端子２１と電気的に接続されている。つまり、第１ＬＥＤ３０Ａ、第２ＬＥＤ３０Ｂ、第３ＬＥＤ３０Ｃ、第４ＬＥＤ３０Ｄ及び第５ＬＥＤ３０Ｅは、電源部２の第１出力端子２０及び第２出力端子２１と電気的に直列接続されている。
【００２７】
第３スイッチ３１Ｃは、第３ＬＥＤ３０Ｃと電気的に並列接続されている。したがって、第３ＬＥＤ３０Ｃは、第３スイッチ３１Ｃがオフしているときに出力電流Ｉｏが流れて発光（点灯）し、第３スイッチ３１Ｃがオンしているときは出力電流Ｉｏが第３スイッチ３１Ｃに流れるために発光（点灯）しない。ゆえに、第３ＬＥＤ３０Ｃの点灯状態（点灯と消灯）は、第３スイッチ３１Ｃのオン・オフによって切り換えられる。
【００２８】
第４スイッチ３１Ｄは、第４ＬＥＤ３０Ｄと電気的に並列接続されている。したがって、第４ＬＥＤ３０Ｄは、第４スイッチ３１Ｄがオフしているときに出力電流Ｉｏが流れて発光（点灯）し、第４スイッチ３１Ｄがオンしているときは出力電流Ｉｏが第４スイッチ３１Ｄに流れるために発光（点灯）しない。ゆえに、第４ＬＥＤ３０Ｄの点灯状態（点灯と消灯）は、第４スイッチ３１Ｄのオン・オフによって切り換えられる。
【００２９】
第５スイッチ３１Ｅは、第５ＬＥＤ３０Ｅと電気的に並列接続されている。したがって、第５ＬＥＤ３０Ｅは、第５スイッチ３１Ｅがオフしているときに出力電流Ｉｏが流れて発光（点灯）し、第５スイッチ３１Ｅがオンしているときは出力電流Ｉｏが第５スイッチ３１Ｅに流れるために発光（点灯）しない。ゆえに、第５ＬＥＤ３０Ｅの点灯状態（点灯と消灯）は、第５スイッチ３１Ｅのオン・オフによって切り換えられる。なお、第３スイッチ３１Ｃ、第４スイッチ３１Ｄ及び第５スイッチ３１Ｅは、いずれも電界効果トランジスタなどの半導体スイッチング素子で構成されることが好ましい。
【００３０】
第３スイッチ制御部３２Ｃ、第４スイッチ制御部３２Ｄ及び第５スイッチ制御部３２Ｅは、第２光源ユニット３Ｂの第２スイッチ制御部３２Ｂと共通の構成を有している。ただし、第３判定部３２２Ｃは、第２ＬＥＤ３０Ｂの状態と第３ＬＥＤ３０Ｃの状態を検知し、それぞれの検知結果の論理演算を行うことが好ましい。第３判定部３２２Ｃの出力は、第３ＬＥＤ３０Ｃが点灯している場合、及び第２ＬＥＤ３０Ｂが消灯している場合にハイレベルとなる。また、第３判定部３２２Ｃの出力は、第３ＬＥＤ３０Ｃが消灯し、かつ、第２ＬＥＤ３０Ｂが点灯している場合にローレベルとなる。また、第４判定部３２２Ｄは、第３ＬＥＤ３０Ｃの状態と第４ＬＥＤ３０Ｄの状態を検知し、それぞれの検知結果の論理演算を行うことが好ましい。第４判定部３２２Ｄの出力は、第４ＬＥＤ３０Ｄが点灯している場合、及び第３ＬＥＤ３０Ｃが消灯している場合にハイレベルとなる。また、第４判定部３２２Ｄの出力は、第４ＬＥＤ３０Ｄが消灯し、かつ、第３ＬＥＤ３０Ｃが点灯している場合にローレベルとなる。さらに、第５判定部３２２Ｅは、第４ＬＥＤ３０Ｄの状態と第５ＬＥＤ３０Ｅの状態を検知し、それぞれの検知結果の論理演算を行うことが好ましい。第５判定部３２２Ｅの出力は、第５ＬＥＤ３０Ｅが点灯している場合、及び第４ＬＥＤ３０Ｄが消灯している場合にハイレベルとなる。また、第５判定部３２２Ｅの出力は、第５ＬＥＤ３０Ｅが消灯し、かつ、第４ＬＥＤ３０Ｄが点灯している場合にローレベルとなる。
【００３１】
なお、第１保持部３２１Ａ乃至第５保持部３２１Ｅの５つの保持部において、第１乃至判定部３２２Ａ〜第５判定部３２２Ｅの５つの判定部の出力を保持する時間は、以下の２つの条件を双方とも満たす時間とされることが好ましい。第１の条件は、５つの駆動回路３２０Ａ〜３２０Ｅのそれぞれのクロック端子ＣＫの電圧の立ち上がり時点から、５つの駆動回路３２０Ａ〜３２０Ｅのそれぞれの出力端子Ｑの出力電圧が変化するまでの時間よりも長いことである。第２の条件は、５つのタイマ３２４Ａ〜３２４Ｅのそれぞれのしきい値よりも短いことである。
【００３２】
次に、図１の回路図及び図２のタイムチャートを参照しながら点灯装置１Ｘの動作を説明する。
【００３３】
電源部２は、例えば、外部からトリガ信号が入力されるまでは出力スイッチ２２をオフしており、トリガ信号が入力されると出力スイッチ２２をオンして出力電流Ｉｏを供給する。トリガ信号が入力される以前（時間ｔ＝ｔ１以前）においては、第１光源ユニット３Ａの第１タイマ３２４Ａから第１駆動回路３２０Ａのリセット端子Ｒにハイレベルの電圧が入力されている。そのため、第１駆動回路３２０Ａは、出力電圧をローレベルとすることで第１スイッチ３１Ａをオフしている。一方、第２光源ユニット３Ｂの第２タイマ３２４Ｂから第２駆動回路３２０Ｂのセット端子Ｓにハイレベルの電圧が入力されている。そのため、第２駆動回路３２０Ｂは、出力電圧をハイレベルとすることで第２スイッチ３１Ｂをオンしている。第３光源ユニット３Ｃの第３タイマ３２４Ｃから第３駆動回路３２０Ｃのセット端子Ｓにハイレベルの電圧が入力されている。そのため、第３駆動回路３２０Ｃは、出力電圧をハイレベルとすることで第３スイッチ３１Ｃをオンしている。第４光源ユニット３Ｄの第４タイマ３２４Ｄから第４駆動回路３２０Ｄのセット端子Ｓにハイレベルの電圧が入力されている。そのため、第４駆動回路３２０Ｄは、出力電圧をハイレベルとすることで第４スイッチ３１Ｄをオンしている。第５光源ユニット３Ｅの第５タイマ３２４Ｅから第５駆動回路３２０Ｅのセット端子Ｓにハイレベルの電圧が入力されている。そのため、第５駆動回路３２０Ｅは、出力電圧をハイレベルとすることで第５スイッチ３１Ｅをオンしている。なお、以下の説明では、上述した状態を点灯装置１Ｘの初期状態と呼ぶ。
【００３４】
電源部２は、トリガ信号が入力されると出力スイッチ２２をオンして出力電流Ｉｏの電流値を第２電流値Ｉ２（Ｉ２＝０）から第１電流値Ｉ１（Ｉ１＞０）に切り換える（時間ｔ＝ｔ１）。初期状態では、第１スイッチ３１Ａがオフしているために第１ＬＥＤ３０Ａが点灯する。一方、第２スイッチ３１Ｂ、第３スイッチ３１Ｃ、第４スイッチ３１Ｄ及び第５スイッチ３１Ｅがオンしているので、第２ＬＥＤ３０Ｂ、第３ＬＥＤ１３Ｃ、第４ＬＥＤ３０Ｄ及び第５ＬＥＤ３０Ｅは、全て消灯している。また、初期状態において、第１駆動回路３２０Ａの入力端子Ｄの入力電圧はハイレベルとなる。また、初期状態においては第１ＬＥＤ３０Ａが点灯し、かつ第２ＬＥＤ３０Ｂが消灯しているので、第２駆動回路３２０Ｂの入力端子Ｄの入力電圧がローレベルとなる。さらに、初期状態においては第２ＬＥＤ３０Ｂ〜第４ＬＥＤ３０Ｄが消灯しているので、第３駆動回路３２０Ｃ〜第５駆動回路３２０Ｅのそれぞれの入力端子Ｄの入力電圧はハイレベルとなる。
【００３５】
電源部２は、一定の第１周期（第１期間Ｔｓ＋第２期間Ｔｄ）で出力スイッチ２２をオン・オフする。ゆえに、電源部２は、出力スイッチ２２をオンした時点（時間ｔ＝ｔ１）から第１期間Ｔｓが経過すると出力スイッチ２２をオフして出力電流Ｉｏの電流値を第１電流値Ｉ１から第２電流値Ｉ２に切り換える（時間ｔ＝ｔ２）。出力電流Ｉｏの電流値が第２電流値Ｉ２になると、第１駆動回路３２０Ａ〜第５駆動回路３２０Ｅのそれぞれのクロック端子ＣＫの電圧がハイレベルに立ち上がる。また、第１ＬＥＤ３０Ａ〜第５ＬＥＤ３０Ｅは全て消灯する。このとき、第１駆動回路３２０Ａ〜第５駆動回路３２０Ｅのそれぞれの入力端子Ｄの入力電圧は、第１保持部３２１Ａ〜第５保持部３２１Ｅによって、直前の第１期間Ｔｓ（時間ｔ＝ｔ１〜ｔ２）の状態に維持されている。したがって、第２期間Ｔｄ（時間ｔ＝ｔ２以降）においては、第１駆動回路３２０Ａ、及び第３駆動回路３２０Ｃ〜第５駆動回路３２０Ｅのそれぞれの入力端子Ｄの入力電圧がそれぞれハイレベルとなる。また、第２期間Ｔｄ（時間ｔ＝ｔ２以降）においては、第２駆動回路３２０Ｂの入力端子Ｄの入力電圧がローレベルとなる。
【００３６】
電源部２は、出力スイッチ２２をオフした時点（時間ｔ＝ｔ２）から第２期間Ｔｄが経過すると出力スイッチ２２をオンして出力電流Ｉｏの電流値を第２電流値Ｉ２から第１電流値Ｉ１に切り換える（時間ｔ＝ｔ３）。そして、電源部２は、出力スイッチ２２をオンした時点（時間ｔ＝ｔ３）から第１期間Ｔｓが経過すると出力スイッチ２２をオフして出力電流Ｉｏの電流値を第１電流値Ｉ１から第２電流値Ｉ２に切り換える（時間ｔ＝ｔ４）。この第１期間Ｔｓ（時間ｔ＝ｔ３〜ｔ４）において、第１スイッチ３１Ａ、及び第３スイッチ３１Ｃ〜第５スイッチ３１Ｅがオンするため、第１ＬＥＤ３０Ａ、及び第３ＬＥＤ３１Ｃ〜第５ＬＥＤ３０Ｅが消灯する。一方、この第１期間Ｔｓ（時間ｔ＝ｔ３〜ｔ４）において、第２スイッチ３１Ｂがオフするため、第２ＬＥＤ３０Ｂが点灯する。
【００３７】
電源部２は、出力スイッチ２２をオンした時点（時間ｔ＝ｔ３）から第１期間Ｔｓが経過すると出力スイッチ２２をオフして出力電流Ｉｏの電流値を第１電流値Ｉ１から第２電流値Ｉ２に切り換える（時間ｔ＝ｔ４）。出力電流Ｉｏの電流値が第２電流値Ｉ２になると、第１駆動回路３２０Ａ〜第５駆動回路３２０Ｅのそれぞれのクロック端子ＣＫの電圧がハイレベルに立ち上がる。また、第１ＬＥＤ３０Ａ〜第５ＬＥＤ３０Ｅは全て消灯する。このとき、第１駆動回路３２０Ａ〜第５駆動回路３２０Ｅのそれぞれの入力端子Ｄの入力電圧は、第１保持部３２１Ａ〜第５保持部３２１Ｅによって、直前の第１期間Ｔｓ（時間ｔ＝ｔ３〜ｔ４）の状態に維持されている。したがって、第２期間Ｔｄ（時間ｔ＝ｔ４以降）においては、第１駆動回路３２０Ａ及び第３駆動回路３２０Ｃの入力端子Ｄの入力電圧がそれぞれローレベルとなる。また、第２期間Ｔｄ（時間ｔ＝ｔ４以降）においては、第２駆動回路３２０Ｂ、第４駆動回路３２０Ｄ及び第５駆動回路３２０Ｅのそれぞれの入力端子Ｄの入力電圧がハイレベルとなる。
【００３８】
電源部２は、出力スイッチ２２をオフした時点（時間ｔ＝ｔ４）から第２期間Ｔｄが経過すると出力スイッチ２２をオンして出力電流Ｉｏの電流値を第２電流値Ｉ２から第１電流値Ｉ１に切り換える（時間ｔ＝ｔ５）。そして、電源部２は、出力スイッチ２２をオンした時点（時間ｔ＝ｔ５）から第１期間Ｔｓが経過すると出力スイッチ２２をオフして出力電流Ｉｏの電流値を第１電流値Ｉ１から第２電流値Ｉ２に切り換える（時間ｔ＝ｔ６）。この第１期間Ｔｓ（時間ｔ＝ｔ５〜ｔ６）において、第２スイッチ３１Ｂ、第４スイッチ３１Ｄ及び第５スイッチ３１Ｅがオンするため、第２ＬＥＤ３１Ｂ、第４ＬＥＤ３０Ｄ及び第５ＬＥＤ３０Ｅが消灯する。一方、この第１期間Ｔｓ（時間ｔ＝ｔ５〜ｔ６）において、第１スイッチ３１Ａ及び第３スイッチ３１Ｃがオフするため、第１ＬＥＤ３０Ａ及び第３ＬＥＤ３０Ｃが点灯する。
【００３９】
電源部２は、出力スイッチ２２をオンした時点（時間ｔ＝ｔ５）から第１期間Ｔｓが経過すると出力スイッチ２２をオフして出力電流Ｉｏの電流値を第１電流値Ｉ１から第２電流値Ｉ２に切り換える（時間ｔ＝ｔ６）。出力電流Ｉｏの電流値が第２電流値Ｉ２になると、第１駆動回路３２０Ａ〜第５駆動回路３２０Ｅのそれぞれのクロック端子ＣＫの電圧がハイレベルに立ち上がる。また、第１ＬＥＤ３０Ａ〜第５ＬＥＤ３０Ｅは全て消灯する。このとき、第１駆動回路３２０Ａ〜第５駆動回路３２０Ｅのそれぞれの入力端子Ｄの入力電圧は、第１保持部３２１Ａ〜第５保持部３２１Ｅによって、直前の第１期間Ｔｓ（時間ｔ＝ｔ５〜ｔ６）の状態に維持されている。したがって、第２期間Ｔｄ（時間ｔ＝ｔ６以降）においては、第２駆動回路３２０Ｂ及び第４駆動回路３２０Ｄの入力端子Ｄの入力電圧がそれぞれローレベルとなる。また、第２期間Ｔｄ（時間ｔ＝ｔ６以降）においては、第１駆動回路３２０Ａ、第３駆動回路３２０Ｃ及び第５駆動回路３２０Ｅのそれぞれの入力端子Ｄの入力電圧がハイレベルとなる。
【００４０】
電源部２は、出力スイッチ２２をオフした時点（時間ｔ＝ｔ６）から第２期間Ｔｄが経過すると出力スイッチ２２をオンして出力電流Ｉｏの電流値を第２電流値Ｉ２から第１電流値Ｉ１に切り換える（時間ｔ＝ｔ７）。そして、電源部２は、出力スイッチ２２をオンした時点（時間ｔ＝ｔ７）から第１期間Ｔｓが経過すると出力スイッチ２２をオフして出力電流Ｉｏの電流値を第１電流値Ｉ１から第２電流値Ｉ２に切り換える（時間ｔ＝ｔ８）。この第１期間Ｔｓ（時間ｔ＝ｔ７〜ｔ８）において、第１スイッチ３１Ａ、第３スイッチ３１Ｃ及び第５スイッチ３１Ｅがオンするため、第１ＬＥＤ３１Ａ、第３ＬＥＤ３０Ｃ及び第５ＬＥＤ３０Ｅが消灯する。一方、この第１期間Ｔｓ（時間ｔ＝ｔ７〜ｔ８）において、第２スイッチ３１Ｂ及び第４スイッチ３１Ｄがオフするため、第２ＬＥＤ３０Ｂ及び第４ＬＥＤ３０Ｄが点灯する。
【００４１】
電源部２は、出力スイッチ２２をオンした時点（時間ｔ＝ｔ７）から第１期間Ｔｓが経過すると出力スイッチ２２をオフして出力電流Ｉｏの電流値を第１電流値Ｉ１から第２電流値Ｉ２に切り換える（時間ｔ＝ｔ８）。出力電流Ｉｏの電流値が第２電流値Ｉ２になると、第１駆動回路３２０Ａ〜第５駆動回路３２０Ｅのそれぞれのクロック端子ＣＫの電圧がハイレベルに立ち上がる。また、第１ＬＥＤ３０Ａ〜第５ＬＥＤ３０Ｅは全て消灯する。このとき、第１駆動回路３２０Ａ〜第５駆動回路３２０Ｅのそれぞれの入力端子Ｄの入力電圧は、第１保持部３２１Ａ〜第５保持部３２１Ｅによって、直前の第１期間Ｔｓ（時間ｔ＝ｔ７〜ｔ８）の状態に維持されている。したがって、第２期間Ｔｄ（時間ｔ＝ｔ８以降）においては、第１駆動回路３２０Ａ、第３駆動回路３２０Ｃ及び第５駆動回路３２０Ｅの入力端子Ｄの入力電圧がそれぞれローレベルとなる。また、第２期間Ｔｄ（時間ｔ＝ｔ８以降）においては、第２駆動回路３２０Ｂ及び第４駆動回路３２０Ｄのそれぞれの入力端子Ｄの入力電圧がハイレベルとなる。
【００４２】
電源部２は、出力スイッチ２２をオフした時点（時間ｔ＝ｔ８）から第２期間Ｔｄが経過すると出力スイッチ２２をオンして出力電流Ｉｏの電流値を第２電流値Ｉ２から第１電流値Ｉ１に切り換える（時間ｔ＝ｔ９）。そして、電源部２は、出力スイッチ２２をオンした時点（時間ｔ＝ｔ９）から第１期間Ｔｓが経過すると出力スイッチ２２をオフして出力電流Ｉｏの電流値を第１電流値Ｉ１から第２電流値Ｉ２に切り換える。この第１期間Ｔｓ（時間ｔ＝ｔ９以降）において、第２スイッチ３１Ｂ及び第４スイッチ３１Ｄがオンするため、第２ＬＥＤ３１Ｂ及び第４ＬＥＤ３０Ｄが消灯する。一方、この第１期間Ｔｓ（時間ｔ＝ｔ９以降）において、第１スイッチ３１Ａ、第３スイッチ３１Ｃ及び第５スイッチ３１Ｅがオフするため、第１ＬＥＤ３０Ａ、第３ＬＥＤ３０Ｃ及び第５ＬＥＤ３０Ｅが点灯する。
【００４３】
さらに、電源部２は、第１期間Ｔｓが経過して出力スイッチ２２をオフした時点（時間ｔ＝ｔ１０）で、トリガ信号の入力時点（時間ｔ＝ｔ１）から、第１周期よりも長い第２周期Ｔｏが経過していれば、第２期間Ｔｄを延長する。このとき、電源部２は、第２期間Ｔｄを、しきい値Ｔｗよりも長い時間に延長する。なお、第２周期Ｔｏは、例えば、第１周期の数倍から十数倍の周期、あるいは数十倍の周期であることが好ましい。
【００４４】
電源部２は、出力スイッチ２２をオフした時点（時間ｔ＝ｔ１０）から、延長した第２期間（以下、第３期間Ｔｒという）が経過した時点（時間ｔ＝ｔ１１）で出力スイッチ２２をオンして出力電流Ｉｏの電流値を第２電流値Ｉ２から第１電流値Ｉ１に切り換える。この第３期間Ｔｒにおいて、第１タイマ３２４Ａ〜第５タイマ３２４Ｅがカウントする経過時間がしきい値Ｔｗを超える。したがって、第１タイマ３２４Ａから第１駆動回路３２０Ａのリセット端子Ｒにハイレベルの電圧が入力されるので、第１駆動回路３２０Ａの出力電圧がローレベルとなる。また、第２タイマ３２４Ｂ〜第５タイマ３２４Ｅのそれぞれから第２駆動回路３２０Ｂ〜第５駆動回路３２０Ｅのそれぞれのセット端子Ｓにハイレベルの電圧が入力される。そのため、第２駆動回路３２０Ｂ〜第５駆動回路３２０Ｅのそれぞれの出力電圧がハイレベルとなる。つまり、点灯装置１Ｘが初期状態に戻る。電源部２は、第３期間Ｔｒが経過すると出力スイッチ２２をオンして出力電流Ｉｏの電流値を第２電流値Ｉ２から第１電流値Ｉ１に切り換える（時間ｔ＝ｔ１１）。初期状態に戻っているため、第１ＬＥＤ３０Ａが点灯し、第２ＬＥＤ３０Ｂ〜第５ＬＥＤ３０Ｅが全て消灯する。これ以降も、電源部２は、上述したタイミングで出力スイッチ２２をオン・オフする。つまり、第１ＬＥＤ３０Ａを点灯、第２ＬＥＤ３０Ｂを点灯、第１ＬＥＤ３０Ａと第３ＬＥＤ３０Ｃを点灯、第２ＬＥＤ３０Ｂと第４ＬＥＤ３０Ｄを点灯、第１ＬＥＤ３０Ａと第３ＬＥＤ３０Ｃと第５ＬＥＤ３０Ｅを点灯する状態が周期的に繰り返される。ただし、第１ＬＥＤ３０Ａ〜第５ＬＥＤ３０Ｅが点滅する順序は上述した順序に限定されず、例えば、第１判定部３２２Ａ〜第５判定部３２２Ｅが点灯状態を判定する光源（第１ＬＥＤ３０Ａ〜第５ＬＥＤ３０Ｅ）の組み合わせに応じて変更可能である。また、第１タイマ３２４Ａ〜第５タイマ３２４Ｅのしきい値Ｔｗは、全て同一の値である必要は無く、少なくともいずれか１つのタイマのしきい値Ｔｗが他のタイマのしきい値と異なっていてもよい。例えば、第１タイマ３２４Ａ〜第３タイマ３２４Ｃのしきい値Ｔｗが第１しきい値とされ、第４タイマ３２４Ｄ及び第５タイマ３２４Ｅのしきい値Ｔｗが第１しきい値よりも大きい（長い）第２しきい値とされてもよい。この場合、点灯装置１Ｘは、電源部２が第２期間Ｔｄの延長時間を、第１しきい値よりも長く、かつ、第２しきい値よりも短い時間と、第２しきい値よりも長い時間とに調整することにより、第１ＬＥＤ３０Ａ〜第５ＬＥＤ３０Ｅの点滅順序を変更することができる。
【００４５】
上述のように点灯装置１Ｘは、電源部２から供給する直流電流（出力電流Ｉｏ）を大小２種類に周期的に切り換えることにより、５つの光源ユニット３Ａ〜３Ｅを所定の順序で点滅させることができる。つまり、点灯装置１Ｘは、給電用の２本の電線のみで、電源部２と５つの光源ユニット３Ａ〜３Ｅが接続され、複数の光源ユニット３Ａ〜３Ｅ毎に制御用の信号線などを必要としない。ゆえに、点灯装置１Ｘは、省配線化を図ることができる。
【００４６】
ここで、点灯装置１Ｘは、出力スイッチ２２をオフすることで出力電流Ｉｏの第２電流値Ｉ２をゼロとしているが、第２電流値Ｉ２をゼロよりも大きく、かつ、第１電流値Ｉ１より所定の値を低減した値としてもよい。この所定値は、例えば、第１ＬＥＤ３０Ａ〜第５ＬＥＤ３０Ｅの点灯を維持できる電流値あるいは出力電圧値よりも低い値であることが好ましい。この場合、電源部２は、出力スイッチ２２のオン・オフに代えて、ＰＷＭ制御による出力調整によって、出力電流Ｉｏを第１電流値Ｉ１と第２電流値Ｉ２に周期的に切り換えることが好ましい。
【００４７】
また、点灯装置１Ｘは、第２期間Ｔｄを、第１ＬＥＤ３０Ａ〜第５ＬＥＤ３０Ｅが全て消灯していることが人に認識されない程度の短い時間とすることにより、第１ＬＥＤ３０Ａ〜第５ＬＥＤ３０Ｅを滑らかに点滅させることができる。この場合、第２期間Ｔｄは、例えば、数ミリ秒乃至十数ミリ秒であることが好ましい。なお、第１駆動回路３２０Ａ〜第５駆動回路３２０Ｅのクロック端子ＣＫの入力電圧はそれぞれ、出力電流Ｉｏが第１電流値Ｉ１から第２電流値Ｉ２に切り換わる時点でローレベルからハイレベルに立ち上がる。ただし、第１判定部３２２Ａ〜第５判定部３２２Ｅのそれぞれの出力電圧が、第１駆動回路３２０Ａ〜第５駆動回路３２０Ｅのクロック端子ＣＫに入力されても構わない。
【００４８】
なお、電源部２は、外部から入力されるトリガ信号によって出力の切換を行うように構成されなくてもよい。例えば、電源部２は、電源部２に内蔵された発振部から出力される周期的なパルス信号によって出力の切換を行うように構成されてもよい。
【００４９】
上述のように点灯装置１Ｘは、電源部２と、複数の光源ユニット３Ａ〜３Ｅとを有している。電源部２は、第１出力端子２０及び第２出力端子２１から直流電力（出力電流Ｉｏ）を出力するように構成されている。さらに、電源部２は、直流電力（出力電流Ｉｏ）を、第１電力値（第１電流値Ｉ１）と、第１電力値（第１電流値Ｉ１）よりも小さい第２電力値（第２電流値Ｉ２）とに周期的に切り換えるように構成されている。複数の光源ユニット３Ａ〜３Ｅは、第１出力端子２０と第２出力端子２１との間に電気的に接続されている。複数の光源ユニット３Ａ〜３Ｅはそれぞれ、１つ又は複数の固体発光素子（第１ＬＥＤ３０Ａ〜第５ＬＥＤ３０Ｅ）を備えている。また、複数の光源ユニット３Ａ〜３Ｅはそれぞれ、１つ又は複数の固体発光素子（第１ＬＥＤ３０Ａ〜第５ＬＥＤ３０Ｅ）に対する直流電力（直流電流Ｉｏ）の供給を入切するスイッチ３１Ａ〜３１Ｅを備えている。さらに、複数の光源ユニット３Ａ〜３Ｅはそれぞれ、スイッチ３１Ａ〜３１Ｅの入切（オン・オフ）を制御するスイッチ制御部３２Ａ〜３２Ｅとを備えている。複数の光源ユニット３Ａ〜３Ｅが一対一に備える複数のスイッチ制御部３２Ａ〜３２Ｅはそれぞれ、次のように構成されている。すなわち、複数のスイッチ制御部３２Ａ〜３２Ｅはそれぞれ、第１期間Ｔｓにおいて、１つ以上の固体発光素子の状態を検知するように構成されている。これら２つの固体発光素子は、複数の光源ユニット３０Ａ〜３０Ｅが一対一に備える複数の固体発光素子（第１ＬＥＤ３０Ａ〜第５ＬＥＤ３０Ｅ）のうちで、複数の光源ユニット３０Ａ〜３０Ｅがそれぞれ備えている自己の固体発光素子を含んでいる。第１期間Ｔｓは、第１電力値（第１電流値Ｉ１）の直流電力が供給されている期間である。また、複数のスイッチ制御部３２Ａ〜３２Ｅはそれぞれ、第２期間Ｔｄにおいて、直前の第１期間Ｔｓにおける、１つ以上の固体発光素子の状態の検知結果に応じて、自己が入切するスイッチ３１Ａ〜３１Ｅの状態を維持及び反転するように構成されている。第２期間Ｔｄは、第２電力値（第２電流値Ｉ２）の直流電力（出力電流Ｉｏ）が供給されている期間である。
【００５０】
点灯装置１Ｘが上述のように構成されれば、電源部２から供給する直流電流（出力電流Ｉｏ）を大小２種類に周期的に切り換えることにより、複数の光源ユニット３Ａ〜３Ｅを所定の順序で点滅させることができる。つまり、点灯装置１Ｘは、給電用の２本の電線のみで、電源部２と複数の光源ユニット３Ａ〜３Ｅが接続され、複数の光源ユニット３Ａ〜３Ｅ毎に制御用の信号線などを必要としない。その結果、点灯装置１Ｘは、省配線化を図ることができる。
【００５１】
ここで、点灯装置１Ｘにおいて、電源部２は、第２期間Ｔｄを延長するように構成されることが好ましい。複数のスイッチ制御部３２Ａ〜３２Ｅはそれぞれ、延長された第２期間（第３期間Ｔｒ）が終了した時点で、検知結果に関わらず、自己が入切するスイッチ３１Ａ〜３１Ｅの状態を所定の初期状態とするように構成されていることが好ましい。
【００５２】
点灯装置１Ｘが上述のように構成されれば、電源部２によって第２期間Ｔｄが延長されると、複数の光源ユニット３Ａ〜３Ｅの点灯状態が初期状態に戻るので、複数の光源ユニット３Ａ〜３Ｅを、容易かつ様々な点滅順序で点滅させることができる。
【００５３】
また、点灯装置１Ｘにおいて、電源部２は、直流電力（出力電流Ｉｏ）を第１電力値（第１電流値Ｉ１）と第２電力値（第２電流値Ｉ２）とに切り換えて出力する周期よりも長い周期Ｔｏで第２期間Ｔｄを延長するように構成されているが好ましい。
【００５４】
点灯装置１Ｘが上述のように構成されれば、複数の光源ユニット３Ａ〜３Ｅを、容易かつ様々な点滅順序で周期的に点滅させることができる。
【００５５】
さらに、点灯装置１Ｘにおいて、複数のスイッチ制御部３２Ａ〜３２Ｅはそれぞれ、延長された第２期間（第３期間Ｔｒ）の時間長を所定のしきい値Ｔｗと比較するように構成されていることが好ましい。また、複数のスイッチ制御部３２Ａ〜３２Ｅはそれぞれ、延長された第２期間（第３期間Ｔｒ）の時間長がしきい値Ｔｗを超える場合に、自己が入切するスイッチの状態を所定の初期状態とするように構成されていることが好ましい。しきい値Ｔｗは、第１のしきい値と、第１のしきい値と異なる第２のしきい値とを少なくとも含むことが好ましい。複数のスイッチ制御部３２Ａ〜３２Ｅはそれぞれ、延長された第２期間（第３期間Ｔｒ）の時間長を、第１のしきい値又は第２のしきい値のいずれかと比較するように構成されていることが好ましい。
【００５６】
点灯装置１Ｘが上述のように構成されれば、複数の光源ユニット３Ａ〜３Ｅを、容易かつ様々な点滅順序で点滅させることができる。
【００５７】
また、点灯装置１Ｘにおいて、複数の光源ユニット３Ａ〜３Ｅは、第１出力端子２０と第２出力端子２１との間に電気的に直列に接続されていることが好ましい。
【００５８】
点灯装置１Ｘが上述のように構成されれば、電源部２において複数の光源ユニット３Ａ〜３Ｅに供給する直流電力（出力電流Ｉｏ）を定電力（定電流）制御することができる。
【００５９】
さらに、点灯装置１Ｘにおいて、電源部２は、第２電力値（第２電流値Ｉ２）をゼロとするように構成されているが好ましい。
【００６０】
点灯装置１Ｘが上述のように構成されれば、電源部２における直流電力（出力電流Ｉｏ）の電力値（電流値）の変更を容易に行うことができる。
【００６１】
（実施形態２）
本発明の実施形態２に係る点灯装置１Ｙ（以下、点灯装置１Ｙと略す）は、図３に示すように、電源部２と、複数（図示例では５つ）の光源ユニットとを有している。また、点灯装置１Ｙは、電源部２の第１出力端子２０と第２出力端子２１の間に、５つの光源ユニットが電気的に並列接続されている。なお、以下の説明では、５つの光源ユニットを第６光源ユニット３Ｆ、第７光源ユニット３Ｇ、第８光源ユニット３Ｈ、第９光源ユニット３Ｉ及び第１０光源ユニット３Ｊと呼ぶ。また、電源部２は、実施形態１の点灯装置１Ｘの電源部２と共通の構成を有している。したがって、電源部２に関する詳細な説明は省略する。
【００６２】
５つの光源ユニット３Ｆ〜３Ｊのうち、第６光源ユニット３Ｆを除く４つの光源ユニット３Ｇ〜３Ｊは全く共通の構成を有している。また、第６光源ユニット３Ｆは、一部の構成を除いて、他の４つの光源ユニット３Ｇ〜３Ｊと共通の構成を有している。
【００６３】
第６光源ユニット３Ｆは、電源部２の第１出力端子２０と直接かつ電気的に接続されている。第６光源ユニット３Ｆは、固体発光素子（発光ダイオード）である第６ＬＥＤ３０Ｆと、第６スイッチ３１Ｆと、第６スイッチ制御部３２Ｆと、限流回路３３Ｆとを備えている。限流回路３３Ｆは、抵抗素子であってもよいし、定電流回路であってもよい。第６ＬＥＤ３０Ｆのアノードが、第６スイッチ３１Ｆと限流回路３３Ｆを介して電源部２の第１出力端子２０と電気的に接続されている。また、第６ＬＥＤ３０Ｆのカソードが電源部２の第２出力端子２１と電気的に接続されている。つまり、第６ＬＥＤ３０Ｆと第６スイッチ３１Ｆと限流回路３３Ｆとが、電源部２の第１出力端子２０と第２出力端子２１に電気的に直列接続されている。したがって、第６ＬＥＤ３０Ｆは、第６スイッチ３１Ｆがオンしているときに出力電流Ｉｏ（実際は出力電流Ｉｏの一部。以下、同じ）が流れて発光（点灯）し、第６スイッチ３１Ｆがオフしているときは出力電流Ｉｏが流れないために発光（点灯）しない。ゆえに、第６ＬＥＤ３０Ｆの点灯状態（点灯と消灯）は、第６スイッチ３１Ｆのオン・オフによって切り換えられる。なお、第６スイッチ３１Ｆは、電界効果トランジスタなどの半導体スイッチング素子で構成されることが好ましい。
【００６４】
第６スイッチ制御部３２Ｆは、第６駆動回路３２０Ｆ、第６保持部３２１Ｆ、第６判定部３２２Ｆ、第６インバータ３２３Ｆ、第６タイマ３２４Ｆなどを有することが好ましい。第６駆動回路３２０Ｆは、例えば、セット・リセット端子付きのＤフリップフロップ回路であることが好ましい。第６駆動回路３２０Ｆは、出力端子Ｑの電圧（出力電圧）をハイレベルとすることで第６スイッチ３１Ｆをオンし、出力電圧をローレベルとすることで第６スイッチ３１Ｆをオフする。第６判定部３２２Ｆは、第６ＬＥＤ３０Ｆの状態（点灯及び消灯）を判定する。第６判定部３２２Ｆは、例えば、第６ＬＥＤ３０Ｆの両端電圧、第６ＬＥＤ３０Ｆに流れる電流あるいは第６ＬＥＤ３０Ｆの光量を検出することで第６ＬＥＤ３０Ｆの状態を判定することが好ましい。ただし、第６判定部３２２Ｆは、第６スイッチ３１Ｆの状態（オン、オフ）を検知することによって第６ＬＥＤ３０Ｆの状態を間接的に判定してもよい。第６判定部３２２Ｆは、ノットゲートを有し、第６ＬＥＤ３０Ｆが点灯しているときに出力をローレベルとし、第６ＬＥＤ３０Ｆが消灯しているときに出力をハイレベルとする。第６判定部３２２Ｆの出力は、第６保持部３２１Ｆによって保持される。第６保持部３２１Ｆは、第６判定部３２２Ｆの出力がハイレベルからローレベル及びローレベルからハイレベルに切り換わった後も、切り換わる直前の出力状態を保持するように構成されている。第６保持部３２１Ｆの出力は、第６駆動回路３２０Ｆの入力端子Ｄに入力される。
【００６５】
第６駆動回路３２０Ｆのクロック端子ＣＫが第６インバータ３２３Ｆの出力端子と電気的に接続されている。第６インバータ３２３Ｆは、電源部２の出力電圧により第６光源ユニット３Ｆの入力端の印加電圧が所定レベル以上である場合に出力をローレベルとし、印加電圧が所定レベル未満である場合に出力をハイレベルとする。つまり、電源部２の出力スイッチ２２がオフして光源ユニット３Ｅ〜３Ｊへの印加電圧が略ゼロになる時点で、第６駆動回路３２０Ｆのクロック端子ＣＫの入力電圧がハイレベルに立ち上がる。
【００６６】
第６タイマ３２４Ｆは、電源部２の出力スイッチ２２がオフして光源ユニット３Ｅ〜３Ｊへの印加電圧が略ゼロになった時点を起点とする経過時間をカウントする。さらに、第６タイマ３２４Ｆは、経過時間が所定のしきい値Ｔｗに達すると、第６駆動回路３２０Ｆのセット端子Ｓの入力電圧をハイレベルに立ち上げる。
【００６７】
第６駆動回路３２０Ｆは、クロック端子ＣＫの入力電圧がハイレベルに立ち上がった時点で、入力端子Ｄの入力電圧がハイレベルであれば出力電圧をハイレベルとし、入力電圧がローレベルであれば出力電圧をローレベルとする。さらに、第６駆動回路３２０Ｆは、セット端子Ｓの入力電圧がハイレベルに立ち上がった時点で出力電圧をハイレベルとする。
【００６８】
第７光源ユニット３Ｇは、固体発光素子である第７ＬＥＤ３０Ｇと、第７スイッチ３１Ｇと、第７スイッチ制御部３２Ｇと、限流回路３３Ｇとを備えている。限流回路３３Ｇは、抵抗素子であってもよいし、定電流回路であってもよい。第７ＬＥＤ３０Ｇのアノードが、第７スイッチ３１Ｇと限流回路３３Ｇを介して電源部２の第１出力端子２０と電気的に接続されている。また、第７ＬＥＤ３０Ｇのカソードが電源部２の第２出力端子２１と電気的に接続されている。つまり、第７ＬＥＤ３０Ｇと第７スイッチ３１Ｇと限流回路３３Ｇとが、電源部２の第１出力端子２０と第２出力端子２１に電気的に直列接続されている。したがって、第７ＬＥＤ３０Ｇは、第７スイッチ３１Ｇがオンしているときに出力電流Ｉｏが流れて発光（点灯）し、第７スイッチ３１Ｇがオフしているときは出力電流Ｉｏが流れないために発光（点灯）しない。ゆえに、第７ＬＥＤ３０Ｇの点灯状態（点灯と消灯）は、第７スイッチ３１Ｇのオン・オフによって切り換えられる。なお、第７スイッチ３１Ｇは、電界効果トランジスタなどの半導体スイッチング素子で構成されることが好ましい。
【００６９】
第７スイッチ制御部３２Ｇは、第７駆動回路３２０Ｇ、第７保持部３２１Ｇ、第７判定部３２２Ｇ、第７インバータ３２３Ｇ、第７タイマ３２４Ｇなどを有することが好ましい。第７駆動回路３２０Ｇは、例えば、セット・リセット端子付きのＤフリップフロップ回路であることが好ましい。第７駆動回路３２０Ｇは、出力端子Ｑの電圧（出力電圧）をハイレベルとすることで第７スイッチ３１Ｇをオンし、出力電圧をローレベルとすることで第７スイッチ３１Ｇをオフする。
【００７０】
第７判定部３２２Ｇは、第６ＬＥＤ３０Ｆの状態と第７ＬＥＤ３０Ｇの状態を検知し、それぞれの検知結果の論理演算を行うことが好ましい。第７判定部３２２Ｇは、ノットゲートとノアゲートで構成されることが好ましい。ノットゲートの入力電圧は、第６ＬＥＤ３０Ｆが点灯している場合にハイレベルとなり、第６ＬＥＤ３０Ｆが消灯している場合にローレベルとなる。ノアゲートは、ノットゲートの出力と第７ＬＥＤ３０Ｇの状態の否定論理和を演算する。つまり、第７判定部３２２Ｇの出力（ノアゲートの出力）は、第７ＬＥＤ３０Ｇが消灯し、かつ、第６ＬＥＤ３０Ｆが点灯している場合にハイレベルとなる。また、第７判定部３２２Ｇの出力（ノアゲートの出力）は、第７ＬＥＤ３０Ｇが点灯している場合、及び第６ＬＥＤ３０Ｆが消灯している場合にローレベルとなる。第７判定部３２２Ｇの出力は、第７保持部３２１Ｇによって保持される。
【００７１】
第７保持部３２１Ｇは、第７判定部３２２Ｇの出力がハイレベルからローレベル及びローレベルからハイレベルに切り換わった後も、切り換わる直前の出力状態を保持するように構成されている。第７保持部３２１Ｇの出力は、第７駆動回路３２０Ｇの入力端子Ｄに入力される。
【００７２】
第７駆動回路３２０Ｇのクロック端子ＣＫが第７インバータ３２３Ｇの出力端子と電気的に接続されている。第７インバータ３２３Ｇは、電源部２の出力電圧により第７光源ユニット３Ｇの入力端の印加電圧が所定レベル以上である場合に出力をローレベルとし、印加電圧が所定レベル未満である場合に出力をハイレベルとする。つまり、電源部２の出力スイッチ２２がオフして光源ユニット３Ｅ〜３Ｊへの印加電圧が略ゼロになる時点で、第７駆動回路３２０Ｇのクロック端子ＣＫの入力電圧がハイレベルに立ち上がる。
【００７３】
第７タイマ３２４Ｇは、電源部２の出力スイッチ２２がオフして光源ユニット３Ｅ〜３Ｊへの印加電圧が略ゼロになった時点を起点とする経過時間をカウントする。さらに、第７タイマ３２４Ｇは、経過時間がしきい値Ｔｗに達すると、第７駆動回路３２０Ｇのリセット端子Ｒの入力電圧をハイレベルに立ち上げる。
【００７４】
第７駆動回路３２０Ｇは、クロック端子ＣＫの入力電圧がハイレベルに立ち上がった時点で、入力端子Ｄの入力電圧がハイレベルであれば出力電圧をハイレベルとし、入力電圧がローレベルであれば出力電圧をローレベルとする。さらに、第７駆動回路３２０Ｇは、リセット端子Ｒの入力電圧がハイレベルに立ち上がった時点で出力電圧をローレベルとする。
【００７５】
第８光源ユニット３Ｈは、固体発光素子である第８ＬＥＤ３０Ｈと、第８スイッチ３１Ｈと、第８スイッチ制御部３２Ｈと、限流回路３３Ｈとを備えている。第８ＬＥＤ３０Ｈと第８スイッチ３１Ｈと限流回路３３Ｈが電源部２の第１出力端子２０と第２出力端子２１の間に電気的に直列接続されている。また、第９光源ユニット３Ｉは、固体発光素子である第９ＬＥＤ３０Ｉと、第９スイッチ３１Ｉと、第９スイッチ制御部３２Ｉと、限流回路３３Ｉとを備えている。第９ＬＥＤ３０Ｉと第９スイッチ３１Ｉと限流回路３３Ｉが電源部２の第１出力端子２０と第２出力端子２１の間に電気的に直列接続されている。さらに、第１０光源ユニット３Ｊは、固体発光素子である第１０ＬＥＤ３０Ｊと、第１０スイッチ３１Ｊと、第１０スイッチ制御部３２Ｊと、限流回路３３Ｊとを備えている。第１０ＬＥＤ３０Ｊと第１０スイッチ３１Ｊと限流回路３３Ｊが電源部２の第１出力端子２０と第２出力端子２１の間に電気的に直列接続されている。
【００７６】
第８ＬＥＤ３０Ｈは、第８スイッチ３１Ｈがオンしているときに出力電流Ｉｏが流れて発光（点灯）し、第８スイッチ３１Ｈがオフしているときは出力電流Ｉｏが流れないために発光（点灯）しない。ゆえに、第８ＬＥＤ３０Ｈの点灯状態（点灯と消灯）は、第８スイッチ３１Ｈのオン・オフによって切り換えられる。
【００７７】
第９ＬＥＤ３０Ｉは、第９スイッチ３１Ｉがオンしているときに出力電流Ｉｏが流れて発光（点灯）し、第９スイッチ３１Ｉがオフしているときは出力電流Ｉｏが流れないために発光（点灯）しない。ゆえに、第９ＬＥＤ３０Ｉの点灯状態（点灯と消灯）は、第９スイッチ３１Ｉのオン・オフによって切り換えられる。
【００７８】
第１０ＬＥＤ３０Ｊは、第１０スイッチ３１Ｊがオンしているときに出力電流Ｉｏが流れて発光（点灯）し、第１０スイッチ３１Ｊがオフしているときは出力電流Ｉｏが流れないために発光（点灯）しない。ゆえに、第１０ＬＥＤ３０Ｊの点灯状態（点灯と消灯）は、第１０スイッチ３１Ｊのオン・オフによって切り換えられる。なお、第８スイッチ３１Ｈ、第９スイッチ３１Ｉ及び第１０スイッチ３１Ｊは、いずれも電界効果トランジスタなどの半導体スイッチング素子で構成されることが好ましい。
【００７９】
第８スイッチ制御部３２Ｈ、第９スイッチ制御部３２Ｉ及び第１０スイッチ制御部３２Ｊは、第７光源ユニット３Ｇの第７スイッチ制御部３２Ｇと共通の構成を有している。ただし、第８判定部３２２Ｈは、第７ＬＥＤ３０Ｇの状態と第８ＬＥＤ３０Ｈの状態を検知し、それぞれの検知結果の論理演算を行うことが好ましい。第８判定部３２２Ｈの出力は、第８ＬＥＤ３０Ｈが消灯し、かつ、第７ＬＥＤ３０Ｇが点灯している場合にハイレベルとなる。また、第８判定部３２２Ｈの出力は、第８ＬＥＤ３０Ｈが点灯している場合、及び第７ＬＥＤ３０Ｇが消灯している場合にローレベルとなる。第８判定部３２２Ｈの出力は、第８保持部３２１Ｈによって保持される。また、第９判定部３２２Ｉの出力は、第９ＬＥＤ３０Ｉが消灯し、かつ、第８ＬＥＤ３０Ｈが点灯している場合にハイレベルとなる。さらに、第９判定部３２２Ｉの出力は、第９ＬＥＤ３０Ｉが点灯している場合、及び第８ＬＥＤ３０Ｈが消灯している場合にローレベルとなる。第９判定部３２２Ｉの出力は、第９保持部３２１Ｉによって保持される。また、第１０判定部３２２Ｊの出力は、第１０ＬＥＤ３０Ｊが消灯し、かつ、第９ＬＥＤ３０Ｉが点灯している場合にハイレベルとなる。さらに、第１０判定部３２２Ｊの出力は、第１０ＬＥＤ３０Ｊが点灯している場合、及び第９ＬＥＤ３０Ｉが消灯している場合にローレベルとなる。第１０判定部３２２Ｊの出力は、第１０保持部３２１Ｊによって保持される。
【００８０】
電源部２は、出力スイッチ２２をオンする第１期間Ｔｓと、出力スイッチ２２をオフする第２期間Ｔｄとを交互に繰り返す。その結果、第６ＬＥＤ３０Ｆを点灯、第７ＬＥＤ３０Ｇを点灯、第６ＬＥＤ３０Ｆと第８ＬＥＤ３０Ｈを点灯、第７ＬＥＤ３０Ｇと第９ＬＥＤ３０Ｉを点灯、第６ＬＥＤ３０Ｆと第８ＬＥＤ３０Ｈと第１０ＬＥＤ３０Ｊを点灯する状態が周期的に繰り返される。なお、点灯装置１Ｙの具体的な動作は、基本的に実施形態１の点灯装置１Ｘの動作と基本的に共通しているので、詳細な説明を省略する。
【００８１】
本実施形態の点灯装置１Ｙも、電源部２から供給する直流電力（出力電圧、または出力電流Ｉｏ）を大小２種類に周期的に切り換えることにより、５つの光源ユニット３Ｆ〜３Ｊを所定の順序で点滅させることができる。つまり、点灯装置１Ｙは、給電用の２本の電線のみで、電源部２と５つの光源ユニット３Ｆ〜３Ｊが接続され、複数の光源ユニット３Ｆ〜３Ｊ毎に制御用の信号線などを必要としない。ゆえに、点灯装置１Ｙは、省配線化を図ることができる。
【００８２】
上述のように点灯装置１Ｙにおいて、複数の光源ユニット３Ｆ〜３Ｊは、第１出力端子２０と第２出力端子２１との間に電気的に並列に接続されていることが好ましい。
【００８３】
点灯装置１Ｙが上述のように構成されれば、いずれかの光源ユニットが故障した場合でも、正常な光源ユニットを点灯させ続けることができる。
【００８４】
（実施形態３）
本発明の実施形態３に係る点灯装置１Ｚ（以下、点灯装置１Ｚと略す）は、図４に示すように、電源部２と、複数（図示例では４つ）の光源ユニットとを有している。また、点灯装置１Ｚは、１つの補助光源ユニット５と、補助電源６とを有することが好ましい。点灯装置１Ｚは、電源部２の第１出力端子２０と第２出力端子２１の間に、補助光源ユニット５と、４つの光源ユニットが電気的に直列接続されている。なお、以下の説明では、４つの光源ユニットを第１光源ユニット４Ａ、第２光源ユニット４Ｂ、第３光源ユニット４Ｃ及び第４光源ユニット４Ｄと呼ぶ。また、電源部２は、実施形態１の点灯装置１Ｘの電源部２と共通の構成を有している。したがって、電源部２に関する詳細な説明は省略する。
【００８５】
補助光源ユニット５は、補助ＬＥＤ光源５０と、抵抗５４とを有している。また、補助光源ユニット５は、入力端子５１と、出力端子５２と、補助端子５３とを有することが好ましい。入力端子５１が電源部２の第１出力端子２０と電気的に接続されている。補助ＬＥＤ光源５０は、２つのＬＥＤの直列回路で構成されている。補助ＬＥＤ光源５０の正極（一方のＬＥＤのアノード）が入力端子５１と補助端子５３と抵抗５４の一端とに電気的に接続されている。補助ＬＥＤ光源５０の負極（他方のＬＥＤのカソード）が出力端子５２と抵抗５４の他端とに電気的に接続されている。
【００８６】
第１光源ユニット４Ａ、第２光源ユニット４Ｂ、第３光源ユニット４Ｃ及び第４光源ユニット４Ｄは全く共通の構成を有している。
【００８７】
第１光源ユニット４Ａは、第１ＬＥＤ光源４０Ａと、第１スイッチ４１Ａと、第１スイッチ制御部４２Ａとを備えている。また、第１光源ユニット４Ａは、第１入力端子４３Ａと、第１出力端子４４Ａと、第１補助端子４５Ａと、第１送り端子４６Ａと、第１電源端子４７Ａとを備えている。第１入力端子４３Ａは、補助光源ユニット５の出力端子５２と電気的に接続されている。第１補助端子４５Ａは、補助光源ユニット５の補助端子５３と電気的に接続されている。第１電源端子４７Ａは、補助電源６の正極と電気的に接続されている。
【００８８】
第１ＬＥＤ光源４０Ａは、２つのＬＥＤの直列回路で構成されている。第１ＬＥＤ光源４０Ａの正極（一方のＬＥＤのアノード）が第１入力端子４３Ａ及び第１送り端子４６Ａと電気的に接続されている。第１ＬＥＤ光源４０Ａの負極（他方のＬＥＤのカソード）が第１出力端子４４Ａと電気的に接続されている。
【００８９】
第１スイッチ４１Ａは、ｎチャネル・エンハンスメント型の電界効果トランジスタである。第１スイッチ４１Ａのドレインが第１入力端子４３Ａと電気的に接続されている。第１スイッチ４１Ａのソースが第１出力端子４４Ａと電気的に接続されている。すなわち、第１スイッチ４１Ａがオンしているときは第１スイッチ４１Ａに電流が流れるために第１ＬＥＤ光源４０Ａが消灯する。そして、第１スイッチ４１Ａがオフしているときに第１ＬＥＤ光源４０Ａに電流が流れるために第１ＬＥＤ光源４０Ａが点灯する。
【００９０】
第１スイッチ制御部４２Ａは、第１電源回路部４２０Ａ、第１スイッチ素子４２１Ａ、第１コンデンサ４２２Ａ、第１ダイオード４２３Ａ、第１トランジスタ４２４Ａ、抵抗４２５Ａ、４２６Ａなどで構成されている。第１電源回路部４２０Ａは、逆流阻止用のダイオードＤ１と、抵抗Ｒ１〜Ｒ３及びコンデンサＣ１とを有し、補助電源６から第１電源端子４７Ａに入力される直流電圧を安定化して第１スイッチ４１Ａのゲートに出力するように構成されている。第１スイッチ素子４２１Ａは、ＮＰＮ型のバイポーラトランジスタである。第１スイッチ素子４２１Ａのコレクタが第１スイッチ４１Ａのゲートに電気的に接続されている。第１スイッチ素子４２１Ａのエミッタが第１出力端子４４Ａに電気的に接続されている。第１スイッチ素子４２１Ａのベースが２つの抵抗４２５Ａ、４２６Ａの一端と電気的に接続されている。第１コンデンサ４２２Ａの一端が第１出力端子４４Ａと電気的に接続されている。第１コンデンサ４２２Ａの他端が第１ダイオード４２３Ａのカソードと電気的に接続されている。第１ダイオード４２３Ａのアノードが第１補助端子４５Ａと電気的に接続されている。第１トランジスタ４２４Ａは、ＰＮＰ型のバイポーラトランジスタである。第１トランジスタ４２４Ａのエミッタが第１ダイオード４２３Ａのカソードと電気的に接続されている。第１トランジスタ４２４Ａのコレクタが抵抗４２５Ａを介して第１スイッチ素子４２１Ａのベースと電気的に接続されている。第１トランジスタ４２４Ａのベースが第１ダイオード４２３Ａのアノード及び第１補助端子４５Ａと電気的に接続されている。
【００９１】
第２光源ユニット４Ｂは、第２ＬＥＤ光源４０Ｂと、第２スイッチ４１Ｂと、第２スイッチ制御部４２Ｂとを備えている。また、第２光源ユニット４Ｂは、第２入力端子４３Ｂと、第２出力端子４４Ｂと、第２補助端子４５Ｂと、第２送り端子４６Ｂと、第２電源端子４７Ｂとを備えている。第２入力端子４３Ｂは、第１光源ユニット４Ａの第１出力端子４４Ａと電気的に接続されている。第２補助端子４５Ｂは、第１光源ユニット４Ａの第１送り端子４６Ａと電気的に接続されている。第２電源端子４７Ｂは、補助電源６の正極と電気的に接続されている。
【００９２】
第２ＬＥＤ光源４０Ｂは、２つのＬＥＤの直列回路で構成されている。第２ＬＥＤ光源４０Ｂの正極（一方のＬＥＤのアノード）が第２入力端子４３Ｂ及び第２送り端子４６Ｂと電気的に接続されている。第２ＬＥＤ光源４０Ｂの負極（他方のＬＥＤのカソード）が第２出力端子４４Ｂと電気的に接続されている。
【００９３】
第２スイッチ４１Ｂは、ｎチャネル・エンハンスメント型の電界効果トランジスタである。第２スイッチ４１Ｂのドレインが第２入力端子４３Ｂと電気的に接続されている。第２スイッチ４１Ｂのソースが第２出力端子４４Ｂと電気的に接続されている。すなわち、第２スイッチ４１Ｂがオンしているときは第２スイッチ４１Ｂに電流が流れるために第２ＬＥＤ光源４０Ｂが消灯する。そして、第２スイッチ４１Ｂがオフしているときに第２ＬＥＤ光源４０Ｂに電流が流れるために第２ＬＥＤ光源４０Ｂが点灯する。
【００９４】
第２スイッチ制御部４２Ｂは、第２電源回路部４２０Ｂ、第２スイッチ素子４２１Ｂ、第２コンデンサ４２２Ｂ、第２ダイオード４２３Ｂ、第２トランジスタ４２４Ｂ、抵抗４２５Ｂ、４２６Ｂなどで構成されている。第２電源回路部４２０Ｂは、逆流阻止用のダイオードＤ２と、抵抗Ｒ４〜Ｒ６及びコンデンサＣ２とを有し、補助電源６から第２電源端子４７Ｂに入力される直流電圧を安定化して第２スイッチ４１Ｂのゲートに出力するように構成されている。第２スイッチ素子４２１Ｂは、ＮＰＮ型のバイポーラトランジスタである。第２スイッチ素子４２１Ｂのコレクタが第２スイッチ４１Ｂのゲートに電気的に接続されている。第２スイッチ素子４２１Ｂのエミッタが第２出力端子４４Ｂに電気的に接続されている。第２スイッチ素子４２１Ｂのベースが２つの抵抗４２５Ｂ、４２６Ｂの一端と電気的に接続されている。第２コンデンサ４２２Ｂの一端が第２出力端子４４Ｂと電気的に接続されている。第２コンデンサ４２２Ｂの他端が第２ダイオード４２３Ｂのカソードと電気的に接続されている。第２ダイオード４２３Ｂのアノードが第２補助端子４５Ｂと電気的に接続されている。第２トランジスタ４２４Ｂは、ＰＮＰ型のバイポーラトランジスタである。第２トランジスタ４２４Ｂのエミッタが第２ダイオード４２３Ｂのカソードと電気的に接続されている。第２トランジスタ４２４Ｂのコレクタが抵抗４２５Ｂを介して第２スイッチ素子４２１Ｂのベースと電気的に接続されている。第２トランジスタ４２４Ｂのベースが第２ダイオード４２３Ｂのアノード及び第２補助端子４５Ｂと電気的に接続されている。
【００９５】
第３光源ユニット４Ｃは、第３ＬＥＤ光源４０Ｃと、第３スイッチ４１Ｃと、第３スイッチ制御部４２Ｃとを備えている。また、第３光源ユニット４Ｃは、第３入力端子４３Ｃと、第３出力端子４４Ｃと、第３補助端子４５Ｃと、第３送り端子４６Ｃと、第３電源端子４７Ｃとを備えている。第３入力端子４３Ｃは、第２光源ユニット４Ｂの第２出力端子４４Ｂと電気的に接続されている。第３補助端子４５Ｃは、第２光源ユニット４Ｂの第２送り端子４６Ｂと電気的に接続されている。第３電源端子４７Ｃは、補助電源６の正極と電気的に接続されている。
【００９６】
第３ＬＥＤ光源４０Ｃは、２つのＬＥＤの直列回路で構成されている。第３ＬＥＤ光源４０Ｃの正極（一方のＬＥＤのアノード）が第３入力端子４３Ｃ及び第３送り端子４６Ｃと電気的に接続されている。第３ＬＥＤ光源４０Ｃの負極（他方のＬＥＤのカソード）が第３出力端子４４Ｃと電気的に接続されている。
【００９７】
第３スイッチ４１Ｃは、ｎチャネル・エンハンスメント型の電界効果トランジスタである。第３スイッチ４１Ｃのドレインが第３入力端子４３Ｃと電気的に接続されている。第３スイッチ４１Ｃのソースが第３出力端子４４Ｃと電気的に接続されている。すなわち、第３スイッチ４１Ｃがオンしているときは第３スイッチ４１Ｃに電流が流れるために第３ＬＥＤ光源４０Ｃが消灯する。そして、第３スイッチ４１Ｃがオフしているときに第３ＬＥＤ光源４０Ｃに電流が流れるために第３ＬＥＤ光源４０Ｃが点灯する。
【００９８】
第３スイッチ制御部４２Ｃは、第３電源回路部４２０Ｃ、第３スイッチ素子４２１Ｃ、第３コンデンサ４２２Ｃ、第３ダイオード４２３Ｃ、第３トランジスタ４２４Ｃ、抵抗４２５Ｃ、４２６Ｃなどで構成されている。第３電源回路部４２０Ｃは、逆流阻止用のダイオードＤ３と、抵抗Ｒ７〜Ｒ９及びコンデンサＣ３とを有し、補助電源６から第３電源端子４７Ｃに入力される直流電圧を安定化して第３スイッチ４１Ｃのゲートに出力するように構成されている。第３スイッチ素子４２１Ｃは、ＮＰＮ型のバイポーラトランジスタである。第３スイッチ素子４２１Ｃのコレクタが第３スイッチ４１Ｃのゲートに電気的に接続されている。第３スイッチ素子４２１Ｃのエミッタが第３出力端子４４Ｃに電気的に接続されている。第３スイッチ素子４２１Ｃのベースが２つの抵抗４２５Ｃ、４２６Ｃの一端と電気的に接続されている。第３コンデンサ４２２Ｃの一端が第３出力端子４４Ｃと電気的に接続されている。第３コンデンサ４２２Ｃの他端が第３ダイオード４２３Ｃのカソードと電気的に接続されている。第３ダイオード４２３Ｃのアノードが第３補助端子４５Ｃと電気的に接続されている。第３トランジスタ４２４Ｃは、ＰＮＰ型のバイポーラトランジスタである。第３トランジスタ４２４Ｃのエミッタが第３ダイオード４２３Ｃのカソードと電気的に接続されている。第３トランジスタ４２４Ｃのコレクタが抵抗４２５Ｃを介して第３スイッチ素子４２１Ｃのベースと電気的に接続されている。第３トランジスタ４２４Ｃのベースが第３ダイオード４２３Ｃのアノード及び第３補助端子４５Ｃと電気的に接続されている。
【００９９】
第４光源ユニット４Ｄは、第４ＬＥＤ光源４０Ｄと、第４スイッチ４１Ｄと、第４スイッチ制御部４２Ｄとを備えている。また、第４光源ユニット４Ｄは、第４入力端子４３Ｄと、第４出力端子４４Ｄと、第４補助端子４５Ｄと、第４送り端子４６Ｄと、第４電源端子４７Ｄとを備えている。第４入力端子４３Ｄは、第３光源ユニット４Ｃの第３出力端子４４Ｃと電気的に接続されている。第４出力端子４４Ｄが電源部２の第２出力端子２１及び補助電源６の負極と電気的に接続されている。第４補助端子４５Ｄは、第３光源ユニット４Ｃの第３送り端子４６Ｃと電気的に接続されている。第４電源端子４７Ｄは、補助電源６の正極と電気的に接続されている。
【０１００】
第４ＬＥＤ光源４０Ｄは、２つのＬＥＤの直列回路で構成されている。第４ＬＥＤ光源４０Ｄの正極（一方のＬＥＤのアノード）が第４入力端子４３Ｄ及び第４送り端子４６Ｄと電気的に接続されている。第４ＬＥＤ光源４０Ｄの負極（他方のＬＥＤのカソード）が第４出力端子４４Ｄと電気的に接続されている。
【０１０１】
第４スイッチ４１Ｄは、ｎチャネル・エンハンスメント型の電界効果トランジスタである。第４スイッチ４１Ｄのドレインが第４入力端子４３Ｄと電気的に接続されている。第４スイッチ４１Ｄのソースが第４出力端子４４Ｄと電気的に接続されている。すなわち、第４スイッチ４１Ｄがオンしているときは第４スイッチ４１Ｄに電流が流れるために第４ＬＥＤ光源４０Ｄが消灯する。そして、第４スイッチ４１Ｄがオフしているときに第４ＬＥＤ光源４０Ｄに電流が流れるために第４ＬＥＤ光源４０Ｄが点灯する。
【０１０２】
第４スイッチ制御部４２Ｄは、第４電源回路部４２０Ｄ、第４スイッチ素子４２１Ｄ、第４コンデンサ４２２Ｄ、第４ダイオード４２３Ｄ、第４トランジスタ４２４Ｄ、抵抗４２５Ｄ、４２６Ｄなどで構成されている。第４電源回路部４２０Ｄは、逆流阻止用のダイオードＤ４と、抵抗Ｒ１０〜Ｒ１２及びコンデンサＣ４とを有し、補助電源６から第４電源端子４７Ｄに入力される直流電圧を安定化して第４スイッチ４１Ｄのゲートに出力するように構成されている。第４スイッチ素子４２１Ｄは、ＮＰＮ型のバイポーラトランジスタである。第４スイッチ素子４２１Ｄのコレクタが第４スイッチ４１Ｄのゲートに電気的に接続されている。第４スイッチ素子４２１Ｄのエミッタが第４出力端子４４Ｄに電気的に接続されている。第４スイッチ素子４２１Ｄのベースが２つの抵抗４２５Ｄ、４２６Ｄの一端と電気的に接続されている。第４コンデンサ４２２Ｄの一端が第４出力端子４４Ｄと電気的に接続されている。第４コンデンサ４２２Ｄの他端が第４ダイオード４２３Ｄのカソードと電気的に接続されている。第４ダイオード４２３Ｄのアノードが第４補助端子４５Ｄと電気的に接続されている。第４トランジスタ４２４Ｄは、ＰＮＰ型のバイポーラトランジスタである。第４トランジスタ４２４Ｄのエミッタが第４ダイオード４２３Ｄのカソードと電気的に接続されている。第４トランジスタ４２４Ｄのコレクタが抵抗４２５Ｄを介して第４スイッチ素子４２１Ｄのベースと電気的に接続されている。第４トランジスタ４２４Ｄのベースが第４ダイオード４２３Ｄのアノード及び第４補助端子４５Ｄと電気的に接続されている。
【０１０３】
次に、図４の回路図及び図５のタイムチャートを参照しながら点灯装置１Ｚの動作を説明する。
【０１０４】
電源部２は、例えば、外部からトリガ信号が入力されるまでは出力スイッチ２２をオフしており、トリガ信号が入力されると出力スイッチ２２をオンして出力電流Ｉｏを供給する。トリガ信号が入力される以前（時間ｔ＝ｔ１以前）においては、出力スイッチ２２がオフして電源部２から出力電流Ｉｏが供給されないため、補助ＬＥＤ光源５０及び第１ＬＥＤ光源４０Ａ〜第４ＬＥＤ光源４０Ｄは全て消灯している。ただし、補助電源６から第１光源ユニット４Ａ〜第４光源ユニット４Ｄのそれぞれの電源端子４７Ａ〜４７Ｄに直流電圧が供給されるため、第１スイッチ４１Ａ〜第４スイッチ４１Ｄは全てオンしている。なお、以下の説明では、上述した状態を点灯装置１Ｚの初期状態と呼ぶ。
【０１０５】
電源部２は、トリガ信号が入力されると出力スイッチ２２をオンして出力電流Ｉｏの電流値を第２電流値Ｉ２（Ｉ２＝０）から第１電流値Ｉ１（Ｉ１＞０）に切り換える（時間ｔ＝ｔ１）。電源部２から出力電流Ｉｏが供給されれば、補助光源ユニット５の補助ＬＥＤ光源５０が点灯する。一方、初期状態では、第１スイッチ４１Ａ〜第４スイッチ４１Ｄが全てオンしているため、第１光源ユニット４Ａ〜第４光源ユニット４Ｄの全てのＬＥＤ光源４０Ａ〜４０Ｄは消灯している。ここで、点灯中の補助ＬＥＤ光源５０の両端に生じる順方向電圧が、補助光源ユニット５の補助端子５３から第１光源ユニット４Ａの第１補助端子４５Ａを介して、ダイオード４２３Ａとコンデンサ４２２Ａの直列回路に印加される。そのため、出力電流Ｉｏの一部が補助端子５３から第１補助端子４５Ａ及びダイオード４２３Ａを介してコンデンサ４２２Ａに流れてコンデンサ４２２Ａを、補助ＬＥＤ光源５０の順方向電圧に略等しい電圧まで充電する。ただし、第１ＬＥＤ光源４０Ａ〜第３ＬＥＤ光源４０Ｃが消灯しているので、第２光源ユニット４Ｂ〜第４光源ユニット４Ｄのそれぞれのコンデンサ４２２Ｂ〜４２２Ｄは充電されない。
【０１０６】
電源部２は、一定の第１周期（第１期間Ｔｓ＋第２期間Ｔｄ）で出力スイッチ２２をオン・オフする。ゆえに、電源部２は、出力スイッチ２２をオンした時点（時間ｔ＝ｔ１）から第１期間Ｔｓが経過すると出力スイッチ２２をオフして出力電流Ｉｏの電流値を第１電流値Ｉ１から第２電流値Ｉ２に切り換える（時間ｔ＝ｔ２）。出力電流Ｉｏの電流値が第２電流値Ｉ２になると、補助ＬＥＤ光源５０が消灯する。このとき、コンデンサ４２２Ａの充電電荷が、第１光源ユニット４Ａの第１スイッチ４１Ａがオン状態である場合は、トランジスタ４２４Ａのエミッタからベース、補助光源ユニット５の抵抗５４、第１スイッチ４１Ａの経路で放電される。一方、第１光源ユニット４Ａの第１スイッチ４１Ａがオフ状態である場合、コンデンサ４２２Ａの充電電荷は、トランジスタ４２４Ａのエミッタからベース、補助光源ユニット５の抵抗５４、第１光源ユニット４Ａの抵抗４２６Ａ、第１スイッチ素子４２１Ａのベースからエミッタ、コンデンサ４２２Ａの経路で放電される。その結果、トランジスタ４２４Ａがオンして、コンデンサ４２２Ａの充電電荷が抵抗４２５Ａを介して第１スイッチ素子４２１Ａのベースに放電されて第１スイッチ素子４２１Ａがオンする。第１スイッチ素子４２１Ａがオンすることにより、コンデンサＣ１の電荷を放電し、かつ、第１スイッチ４１Ａのゲート・ソース電圧がほぼゼロとなるので、第１スイッチ４１Ａがオフする。なお、第２光源ユニット４Ｂ〜第４光源ユニット４Ｄにおいては、コンデンサ４２２Ｂ〜４２２Ｄに電荷が充電されていなかったので、第２スイッチ４１Ｂ〜第４スイッチ４１Ｄはオフしない。
【０１０７】
電源部２は、出力スイッチ２２をオフした時点（時間ｔ＝ｔ２）から第２期間Ｔｄが経過すると出力スイッチ２２をオンして出力電流Ｉｏの電流値を第２電流値Ｉ２から第１電流値Ｉ１に切り換える（時間ｔ＝ｔ３）。電源部２から出力電流Ｉｏが供給されれば、補助光源ユニット５の補助ＬＥＤ光源５０が点灯する。また、第１光源ユニット４Ａの第１スイッチ４１Ａがオフしているので、第１ＬＥＤ光源４０Ａに出力電流Ｉｏが流れて、第１ＬＥＤ光源４０Ａが点灯する。なお、第１ＬＥＤ光源４０Ａの点灯に伴って生じた順方向電圧により、抵抗４２６Ａを介して第１スイッチ素子４２１Ａにベース電流が供給され続ける。そのため、第１スイッチ素子４２１Ａのオン状態が継続され、第１スイッチ４１Ａがオフし、第１ＬＥＤ光源４０Ａが点灯状態を維持する。一方、第２光源ユニット４Ｂ〜第４光源ユニット４Ｄの第２スイッチ４１Ｂ〜第４スイッチ４１Ｄはオンしているので、第２ＬＥＤ光源４０Ｂ〜第４ＬＥＤ光源４０Ｄは点灯せずに消灯したままである。ここで、点灯中の第１ＬＥＤ光源４０Ａの両端に生じる順方向電圧が、第１光源ユニット４Ａの第１送り端子４６Ａから第２光源ユニット４Ｂの第２補助端子４５Ｂを介して、ダイオード４２３Ｂとコンデンサ４２２Ｂの直列回路に印加される。そのため、出力電流Ｉｏの一部が第１送り端子４６Ａから第２補助端子４５Ｂ及びダイオード４２３Ｂを介してコンデンサ４２２Ｂに流れてコンデンサ４２２Ｂを、第１ＬＥＤ光源４０Ａの順方向電圧に略等しい電圧まで充電する。なお、第１光源ユニット４Ａのコンデンサ４２２Ａは、点灯中の補助ＬＥＤ光源５０の両端に生じる順方向電圧によって充電される。ただし、第２ＬＥＤ光源４０Ｂ及び第３ＬＥＤ光源４０Ｃが消灯しているので、第３光源ユニット４Ｃ及び第４光源ユニット４Ｄのそれぞれのコンデンサ４２２Ｃ、４２２Ｄは充電されない。
【０１０８】
そして、電源部２は、出力スイッチ２２をオンした時点（時間ｔ＝ｔ３）から第１期間Ｔｓが経過すると出力スイッチ２２をオフして出力電流Ｉｏの電流値を第１電流値Ｉ１から第２電流値Ｉ２に切り換える（時間ｔ＝ｔ４）。出力電流Ｉｏの電流値が第２電流値Ｉ２になると、補助ＬＥＤ光源５０及び第１ＬＥＤ光源４０Ａが消灯する。このとき、第２光源ユニット４Ｂの第２スイッチ４１Ｂがオン状態である場合は、コンデンサ４２２Ｂの充電電荷が、トランジスタ４２４Ｂのエミッタからベース、第１光源ユニット４Ａの抵抗４２６Ａ、第２スイッチ４１Ｂ、コンデンサ４２２Ｂの経路で放電される。一方、第２光源ユニット４Ｂの第２スイッチ４１Ｂがオフ状態である場合は、コンデンサ４２２Ｂの充電電荷が、トランジスタ４２４Ｂのエミッタからベース、第１光源ユニット４Ａの抵抗４２６Ａ、第１スイッチ素子４２１Ａのベースからエミッタ、第２光源ユニット４Ｂの抵抗４２６Ｂ、第２スイッチ素子４２１Ｂのベースからエミッタ、コンデンサ４２２Ｂの経路で放電される。その結果、トランジスタ４２４Ｂがオンして、コンデンサ４２２Ｂの充電電荷が抵抗４２５Ｂを介して第２スイッチ素子４２１Ｂのベースに放電されて第２スイッチ素子４２１Ｂがオンする。第２スイッチ素子４２１Ｂがオンすることにより、コンデンサＣ２の電荷を放電し、かつ、第２スイッチ４１Ｂのゲート・ソース電圧がほぼゼロとなるので、第２スイッチ４１Ｂがオフする。また、第１光源ユニット４Ａにおいても、コンデンサ４２２Ａの放電により第１スイッチ素子４２１Ａがオンするため、第１スイッチ４１Ａが引き続きオフしている。なお、第３光源ユニット４Ｃ及び第４光源ユニット４Ｄにおいては、コンデンサ４２２Ｃ、４２２Ｄに電荷が充電されていなかったので、第３スイッチ４１Ｃ及び第４スイッチ４１Ｄはオフしない。
【０１０９】
電源部２は、出力スイッチ２２をオフした時点（時間ｔ＝ｔ４）から第２期間Ｔｄが経過すると出力スイッチ２２をオンして出力電流Ｉｏの電流値を第２電流値Ｉ２から第１電流値Ｉ１に切り換える（時間ｔ＝ｔ５）。電源部２から出力電流Ｉｏが供給されれば、補助光源ユニット５の補助ＬＥＤ光源５０が点灯する。また、第１光源ユニット４Ａの第１スイッチ４１Ａ及び第２光源ユニット４Ｂの第２スイッチ４１Ｂがオフしているので、第１ＬＥＤ光源４０Ａ及び第２ＬＥＤ光源４０Ｂに出力電流Ｉｏが流れて、第１ＬＥＤ光源４０Ａと第２ＬＥＤ光源４０Ｂが点灯する。なお、第２ＬＥＤ光源４０Ｂの点灯に伴って生じた順方向電圧により、抵抗４２６Ｂを介して第２スイッチ素子４２１Ｂにベース電流が供給され続ける。そのため、第２スイッチ素子４２１Ｂのオン状態が継続され、第２スイッチ４１Ｂがオフし、第２ＬＥＤ光源４０Ｂが点灯状態を維持する。一方、第３光源ユニット４Ｃの第３スイッチ３１Ｃ及び第４光源ユニット４Ｄの第４スイッチ４１Ｄはオンしているので、第３ＬＥＤ光源４０Ｃと第４ＬＥＤ光源４０Ｄは点灯せずに消灯したままである。ここで、点灯中の第２ＬＥＤ光源４０Ｂの両端に生じる順方向電圧が、第２光源ユニット４Ｂの第１送り端子４６Ｂから第３光源ユニット４Ｃの第３補助端子４５Ｃを介して、ダイオード４２３Ｃとコンデンサ４２２Ｃの直列回路に印加される。そのため、出力電流Ｉｏの一部が第２送り端子４６Ｂから第３補助端子４５Ｃ及びダイオード４２３Ｃを介してコンデンサ４２２Ｃに流れてコンデンサ４２２Ｃを、第２ＬＥＤ光源４０Ｂの順方向電圧に略等しい電圧まで充電する。なお、第１光源ユニット４Ａのコンデンサ４２２Ａは、点灯中の補助ＬＥＤ光源５０の両端に生じる順方向電圧によって充電される。また、第２光源ユニット４Ｂのコンデンサ４２２Ｂは、点灯中の第１ＬＥＤ光源４０Ａの両端に生じる順方向電圧によって充電される。ただし、第３ＬＥＤ光源４０Ｃが消灯しているので、第４光源ユニット４Ｄのコンデンサ４２２Ｄは充電されない。
【０１１０】
そして、電源部２は、出力スイッチ２２をオンした時点（時間ｔ＝ｔ５）から第１期間Ｔｓが経過すると出力スイッチ２２をオフして出力電流Ｉｏの電流値を第１電流値Ｉ１から第２電流値Ｉ２に切り換える（時間ｔ＝ｔ６）。出力電流Ｉｏの電流値が第２電流値Ｉ２になると、補助ＬＥＤ光源５０、第１ＬＥＤ光源４０Ａ及び第２ＬＥＤ光源４０Ｂが消灯する。このとき、第３光源ユニット４Ｃの第３スイッチ４１Ｃがオン状態である場合は、コンデンサ４２２Ｃの充電電荷が、トランジスタ４２４Ｃのエミッタからベース、第２光源ユニット４Ｂの抵抗４２６Ｂ、第３スイッチ４１Ｃ、コンデンサ４２２Ｃの経路で放電される。一方、第３光源ユニット４Ｃの第３スイッチ４１Ｃがオフ状態である場合は、コンデンサ４２２Ｃの充電電荷が、トランジスタ４２４Ｃのエミッタからベース、第２光源ユニット４Ｂの抵抗４２６Ｂ、第２スイッチ素子４２１Ｂのベースからエミッタ、第３光源ユニット４Ｃの抵抗４２６Ｃ、第２スイッチ素子４２１Ｃのベースからエミッタ、コンデンサ４２２Ｃの経路で放電される。その結果、トランジスタ４２４Ｃがオンして、コンデンサ４２２Ｃの充電電荷が抵抗４２５Ｃを介して第３スイッチ素子４２１Ｃのベースに放電されて第３スイッチ素子４２１Ｃがオンする。第３スイッチ素子４２１Ｃがオンすることにより、コンデンサＣ３の電荷を放電し、かつ、第３スイッチ４１Ｃのゲート・ソース電圧がほぼゼロとなるので、第３スイッチ４１Ｃがオフする。また、第１光源ユニット４Ａ及び第２光源ユニット４Ｂにおいても、コンデンサ４２２Ａ、４２２Ｂの放電により第１スイッチ素子４２１Ａ及び第２スイッチ４２１Ｂがオンする。そのため、第１スイッチ４１Ａ及び第２スイッチ４１Ｂが引き続きオフしている。なお、第４光源ユニット４Ｄにおいては、コンデンサ４２２Ｄに電荷が充電されていなかったので、第４スイッチ４１Ｄはオフしない。
【０１１１】
電源部２は、出力スイッチ２２をオフした時点（時間ｔ＝ｔ６）から第２期間Ｔｄが経過すると出力スイッチ２２をオンして出力電流Ｉｏの電流値を第２電流値Ｉ２から第１電流値Ｉ１に切り換える（時間ｔ＝ｔ７）。電源部２から出力電流Ｉｏが供給されれば、補助光源ユニット５の補助ＬＥＤ光源５０が点灯する。また、第１光源ユニット４Ａの第１スイッチ４１Ａ、第２光源ユニット４Ｂの第２スイッチ４１Ｂ及び第３光源ユニット４Ｃの第３スイッチ４１Ｃがオフしている。そのため、第１ＬＥＤ光源４０Ａ、第２ＬＥＤ光源４０Ｂ及び第３ＬＥＤ光源４０Ｃに出力電流Ｉｏが流れて、第１ＬＥＤ光源４０Ａと第２ＬＥＤ光源４０Ｂと第３ＬＥＤ光源４０Ｃが点灯する。なお、第３ＬＥＤ光源４０Ｃの点灯に伴って生じた順方向電圧により、抵抗４２６Ｃを介して第３スイッチ素子４２１Ｃにベース電流が供給され続ける。そのため、第３スイッチ素子４２１Ｃのオン状態が継続され、第３スイッチ４１Ｃがオフし、第３ＬＥＤ光源４０Ｃが点灯状態を維持する。一方、第４光源ユニット４Ｄの第４スイッチ４１Ｄはオンしているので、第４ＬＥＤ光源４０Ｄは点灯せずに消灯したままである。ここで、点灯中の第３ＬＥＤ光源４０Ｃの両端に生じる順方向電圧が、第３光源ユニット４Ｃの第１送り端子４６Ｃから第４光源ユニット４Ｄの第４補助端子４５Ｄを介して、ダイオード４２３Ｄとコンデンサ４２２Ｄの直列回路に印加される。そのため、出力電流Ｉｏの一部が第１送り端子４６Ｃから第４補助端子４５Ｄ及びダイオード４２３Ｄを介してコンデンサ４２２Ｄに流れてコンデンサ４２２Ｄを、第３ＬＥＤ光源４０Ｃの順方向電圧に略等しい電圧まで充電する。なお、第１光源ユニット４Ａのコンデンサ４２２Ａは、点灯中の補助ＬＥＤ光源５０の両端に生じる順方向電圧によって充電される。また、第２光源ユニット４Ｂのコンデンサ４２２Ｂは、点灯中の第１ＬＥＤ光源４０Ａの両端に生じる順方向電圧によって充電される。さらに、第３光源ユニット４Ｃのコンデンサ４２２Ｃは、点灯中の第２ＬＥＤ光源４０Ｂの両端に生じる順方向電圧によって充電される。
【０１１２】
そして、電源部２は、出力スイッチ２２をオンした時点（時間ｔ＝ｔ７）から第１期間Ｔｓが経過すると出力スイッチ２２をオフして出力電流Ｉｏの電流値を第１電流値Ｉ１から第２電流値Ｉ２に切り換える（時間ｔ＝ｔ８）。出力電流Ｉｏの電流値が第２電流値Ｉ２になると、補助ＬＥＤ光源５０、第１ＬＥＤ光源４０Ａ、第２ＬＥＤ光源４０Ｂ及び第３ＬＥＤ光源４０Ｃが消灯する。このとき、第４光源ユニット４Ｄの第４スイッチ４１Ｄがオン状態である場合は、コンデンサ４２２Ｄの充電電荷が、トランジスタ４２４Ｄのエミッタからベース、第３光源ユニット４Ｃの抵抗４２６Ｃ、第４スイッチ４１Ｄ、コンデンサ４２２Ｄの経路で放電される。一方、第４光源ユニット４Ｄの第４スイッチ４１Ｄがオフ状態である場合は、コンデンサ４２２Ｄの充電電荷が、トランジスタ４２４Ｄのエミッタからベース、第３光源ユニット４Ｃの抵抗４２６Ｃ、第３スイッチ素子４２１Ｃのベースからエミッタ、第４光源ユニット４Ｄの抵抗４２６Ｄ、第３スイッチ素子４２１Ｄのベースからエミッタ、コンデンサ４２２Ｄの経路で放電される。その結果、トランジスタ４２４Ｄがオンして、コンデンサ４２２Ｄの充電電荷が抵抗４２５Ｄを介して第４スイッチ素子４２１Ｄのベースに放電されて第４スイッチ素子４２１Ｄがオンする。第４スイッチ素子４２１Ｄがオンすることにより、コンデンサＣ４の電荷を放電し、かつ、第４スイッチ４１Ｄのゲート・ソース電圧がほぼゼロとなるので、第４スイッチ４１Ｄがオフする。また、第１光源ユニット４Ａ〜第３光源ユニット４Ｃにおいても、コンデンサ４２２Ａ〜４２２Ｃの放電により第１スイッチ素子４２１Ａ〜第３スイッチ４２１Ｃがオンする。そのため、第１スイッチ４１Ａ〜第３スイッチ４１Ｃが引き続きオフしている。
【０１１３】
電源部２は、出力スイッチ２２をオフした時点（時間ｔ＝ｔ８）から第２期間Ｔｄが経過すると出力スイッチ２２をオンして出力電流Ｉｏの電流値を第２電流値Ｉ２から第１電流値Ｉ１に切り換える（時間ｔ＝ｔ９）。電源部２から出力電流Ｉｏが供給されれば、補助光源ユニット５の補助ＬＥＤ光源５０が点灯する。また、第１光源ユニット４Ａ〜第４光源ユニット４Ｄの第１スイッチ４１Ａ〜第４スイッチ４１Ｄがオフしている。そのため、第１ＬＥＤ光源４０Ａ〜第４ＬＥＤ光源４０Ｄに出力電流Ｉｏが流れて、第１ＬＥＤ光源４０Ａ〜第４ＬＥＤ光源４０Ｄが点灯する。なお、第４ＬＥＤ光源４０Ｄの点灯に伴って生じた順方向電圧により、抵抗４２６Ｄを介して第４スイッチ素子４２１Ｄにベース電流が供給され続ける。そのため、第４スイッチ素子４２１Ｄのオン状態が継続され、第４スイッチ４１Ｄがオフし、第４ＬＥＤ光源４０Ｄが点灯状態を維持する。また、時間ｔ＝ｔ９以降は、電源部２が出力スイッチ２２をオン・オフしても、補助ＬＥＤ光源５０と第１ＬＥＤ光源４０Ａ〜第４ＬＥＤ光源４０Ｄが全て点滅する。
【０１１４】
さらに、電源部２は、第１期間Ｔｓが経過して出力スイッチ２２をオフした時点（時間ｔ＝ｔ１０）で、トリガ信号の入力時点（時間ｔ＝ｔ１）から、第１周期よりも長い第２周期Ｔｏが経過していれば、第２期間Ｔｄを延長する。このとき、電源部２は、第２期間Ｔｄを、しきい値Ｔｖよりも長い時間に延長する。ただし、しきい値Ｔｖは、コンデンサ４２２Ａ〜４２２Ｄの放電によって第１スイッチ素子４２１Ａ〜第４スイッチ素子４２１Ｄがオン状態に維持される時間よりも長い時間であることが好ましい。なお、第２周期Ｔｏは、例えば、第１周期の数倍から十数倍の周期、あるいは数十倍の周期であることが好ましい。
【０１１５】
電源部２は、出力スイッチ２２をオフした時点（時間ｔ＝ｔ１０）から、延長した第２期間（第３期間Ｔｒ）が経過した時点（時間ｔ＝ｔ１１）で出力スイッチ２２をオンして出力電流Ｉｏの電流値を第２電流値Ｉ２から第１電流値Ｉ１に切り換える。この第３期間Ｔｒにおいて、コンデンサ４２２Ａ〜４２２Ｄの放電がほぼ終了して第１スイッチ素子４２１Ａ〜第４スイッチ素子４２１Ｄが全てオフする。その結果、第１スイッチ４１Ａ〜第４スイッチ４１Ｄが、補助電源６から供給される直流電圧によって全てオンする。つまり、点灯装置１Ｚが初期状態に戻る。電源部２は、第３期間Ｔｒが経過すると出力スイッチ２２をオンして出力電流Ｉｏの電流値を第２電流値Ｉ２から第１電流値Ｉ１に切り換える（時間ｔ＝ｔ１１）。初期状態に戻っているため、電源部２から出力電流Ｉｏが供給されれば、補助光源ユニット５の補助ＬＥＤ光源５０が点灯し、第１光源ユニット４Ａ〜第４光源ユニット４Ｄの全てのＬＥＤ光源４０Ａ〜４０Ｄが消灯する。これ以降も、電源部２は、上述したタイミングで出力スイッチ２２をオン・オフする。つまり、補助ＬＥＤ光源５０が点灯した後、第１ＬＥＤ光源４０Ａ〜第４ＬＥＤ光源４０Ｄのなかで点灯するＬＥＤ光源の個数が１つずつ増える状態が周期的に繰り返される。
【０１１６】
また、補助電源６が停止すれば、第１スイッチ４１Ａ〜第４スイッチ４１Ｄがオフする。したがって、補助電源６が停止している状態では、電源部２の出力スイッチ２２のオン・オフに応じて、全ての光源５０、４０Ａ〜４０Ｄが一斉に点滅させられる。
【０１１７】
上述のように点灯装置１Ｚは、実施形態１の点灯装置１Ｘ及び実施形態２の点灯装置１Ｙと同様に、給電用の２本の電線のみで、電源部２と複数の光源ユニット４Ａ〜４Ｄが接続され、複数の光源ユニット４Ａ〜４Ｄ毎に制御用の信号線などを必要としない。その結果、点灯装置１Ｚは、省配線化を図ることができる。
【０１１８】
（実施形態４）
本実施形態に係る車両８は、例えば、セダンタイプの普通乗用車であることが好ましい（図６参照）。実施形態１〜３の点灯装置１Ｘ、１Ｙ及び１Ｚは、例えば、方向指示器として車両８の車体８０に搭載されていることが好ましい。いずれかの点灯装置１Ｘ、１Ｙ、１Ｚを搭載した車両８は、方向指示器を連鎖式点灯（シーケンシャル点灯）により点滅させることができる。
【０１１９】
上述のように本実施形態に係る車両８は、点灯装置１Ｘ（又は点灯装置１Ｙ又は点灯装置１Ｚ）と、点灯装置１Ｘ（又は点灯装置１Ｙ又は点灯装置１Ｚ）が搭載される車体８０とを有する。
【０１２０】
車両８が上述のように構成されれば、省配線化を図ることができる点灯装置１Ｘ（又は点灯装置１Ｙ又は点灯装置１Ｚ）が搭載されているので、車体８０に搭載されるワイヤーハーネスの省配線化を図ることができる。
【符号の説明】
【０１２１】
１Ｘ、１Ｙ、１Ｚ  点灯装置
２  電源部
３Ａ〜３Ｊ  光源ユニット
４Ａ〜４Ｄ  光源ユニット
８  車両
２０  第１出力端子
２１  第２出力端子
３０Ａ〜３０Ｊ  ＬＥＤ（固体発光素子）
３１Ａ〜３１Ｊ  スイッチ
３２Ａ〜３２Ｊ  スイッチ制御部
４０Ａ〜４０Ｄ  ＬＥＤ光源（固体発光素子）
８０  車体
Ｉｏ  出力電流（直流電力）
Ｉ１  第１電流値（第１電力値）
Ｉ２  第２電流値（第２電力値）
Ｔｓ  第１期間
Ｔｄ  第２期間
Ｔｗ  しきい値（第１しきい値、第２しきい値）
【図１】
0006604574.tif 000002
【図２】
0006604574.tif 000003
【図３】
0006604574.tif 000004
【図４】
0006604574.tif 000005
【図５】
0006604574.tif 000006
【図６】
0006604574.tif 000007